(57)【要約】【課題】収集した情報を簡便にオンラインブックマークサービスへ登録できる情報処理システム、更新情報出力装置、情報登録装置、情報処理方法、及び情報処理プログラムを提供する。【解決手段】情報処理システム１は、情報公開元の更新情報７１aを紙に出力する更新情報出力装置１００と、紙面上でマーキングされた公開情報の情報格納先をオンラインブックマークサービス４００に登録する情報登録装置２００とが、ネットワーク９０で接続されるシステムであって、更新情報７１aを収集する収集手段と収集された更新情報７１aと前記公開情報の情報公開元の登録履歴情報とを基に、所定の出力レイアウトで出力データを生成する生成手段と、マーキングされた紙を読み取り、マーキングにより登録指示された公開情報の情報格納先を抽出する抽出手段と、前記公開情報の情報公開元を登録履歴として記録する登録履歴情報記録手段とを有することを特徴とする。【選択図】図３
2008234234.tif 000002
【特許請求の範囲】
【請求項１】
ネットワークを介して情報を公開する情報公開元の更新情報を画像形成媒体に出力する更新情報出力装置と、ユーザによって前記画像形成媒体上でマーキングされた前記更新情報に示す更新された公開情報の情報格納先をオンラインブックマークサービスに登録する情報登録装置とが、前記ネットワークで接続される情報処理システムであって、
前記更新情報出力装置は、
前記情報公開元における更新情報の情報格納先を示す収集対象情報を基に前記更新情報を収集する収集手段と、
前記収集手段により収集された前記更新情報と、前記公開情報の情報格納先を前記オンラインブックマークサービスに登録したときの前記公開情報の情報公開元が登録履歴として記録された登録履歴情報とを基に、前記ユーザによって、前記画像形成媒体上に出力された更新情報を選択するマーキング領域を有する所定の出力レイアウトで出力データを生成する生成手段と、
前記情報登録装置は、
前記更新情報出力装置により出力され、前記ユーザによってマーキングされた前記画像形成媒体を読み取り、マーキングにより登録指示された前記更新情報に示す更新された公開情報の情報格納先を抽出する抽出手段と、
前記抽出手段により抽出された前記公開情報の情報格納先を前記オンラインブックマークサービスに登録したときの前記公開情報の情報公開元を登録履歴として記録する登録履歴情報記録手段とを有することを特徴とする情報処理システム。
【請求項２】
前記生成手段は、
前記公開情報の情報格納先を前記オンラインブックマークサービスに登録したときの前記公開情報の情報公開元が登録履歴として記録された前記登録履歴情報であるブックマーク履歴情報から算出した前記公開情報の情報公開元の登録回数を基に、前記更新情報出力装置により出力される前記更新情報の出力順序を前記登録回数が多い順に並び替えた、前記所定の出力レイアウトで前記出力データを生成することを特徴とする請求項１に記載の情報処理システム。
【請求項３】
当該情報処理システムは、
タスクの情報を管理するタスク情報管理装置を有し、
前記生成手段は、
前記公開情報の情報格納先を、前記ユーザによって前記タスク情報管理装置で管理する前記タスクと関連付けて前記オンラインブックマークサービスに登録したときの前記公開情報の情報公開元が登録履歴として記録された前記登録履歴情報であるタスク関連付けブックマーク履歴情報から算出した前記公開情報の情報公開元の登録回数を基に、前記更新情報出力装置により出力される前記更新情報の出力順序を前記登録回数が多い順に並び替えた、前記所定の出力レイアウトで前記出力データを生成することを特徴とする請求項１又は２に記載の情報処理システム。
【請求項４】
前記生成手段は、
前記収集手段により収集した前記更新情報と前記タスク関連付けブックマーク履歴情報とを基に前記出力データを生成するときに、
前記公開情報の情報格納先を前記オンラインブックマークサービスに登録したときの前記公開情報の情報公開元と前記タスクとの関連付け回数の頻度を基に、前記公開情報の情報公開元に関連付けの頻度の高い前記タスクの情報を付加した、前記公開情報の情報公開元に関連付ける前記タスクを選択するマーキング領域が含まれる前記所定の出力レイアウトで前記出力データを生成することを特徴とする請求項３に記載の情報処理システム。
【請求項５】
前記生成手段は、
前記収集手段により収集した前記更新情報と前記登録履歴情報とを基に、前記出力データを生成するときに、
前記公開情報の情報格納先を前記オンラインブックマークサービスに登録したときの前記公開情報の情報格納先を、ブックマーク情報として第三者に公開するか否かを選択するマーキング領域が含まれる前記所定の出力レイアウトで前記出力データを生成することを特徴とする請求項１ないし４のいずれか一項に記載の情報処理システム。
【請求項６】
前記生成手段は、
前記収集手段により収集した前記更新情報と前記登録履歴情報とを基に、前記出力データを生成するときに、
前記オンラインブックマークサービスに登録する対象として選択された情報格納先に格納された公開情報を出力するか否かを選択するマーキング領域が含まれる前記所定の出力レイアウトで前記出力データを生成することを特徴とする請求項１ないし５のいずれか一項に記載の情報処理システム。
【請求項７】
前記情報登録装置が、
前記公開情報の情報格納先を前記オンラインブックマークサービスに登録する登録手段を有し、
前記登録手段は、
前記更新情報出力装置により出力された前記画像形成媒体上に、前記公開情報の情報公開元に関連付ける前記タスクを選択するマーキング領域がある場合に、
マーキングによって指示されたタスク関連付けの選択情報に従って、前記公開情報の情報格納先に、関連付ける前記タスクの情報を付加して登録することを特徴とする請求項１ないし６のいずれか一項に記載の情報処理システム。
【請求項８】
前記情報登録装置が、
前記公開情報の情報格納先を前記オンラインブックマークサービスに登録する登録手段を有し、
前記登録手段は、
前記更新情報出力装置により出力された前記画像形成媒体上に、前記ブックマーク情報として第三者に公開するか否かを選択するマーキング領域がある場合に、
マーキングによって指示された前記ブックマーク情報として第三者に公開するか否かの選択情報に従って、前記公開情報の情報格納先に、前記ブックマーク情報として第三者に公開するか否かを指示する情報を付加して登録することを特徴とする請求項１ないし７のいずれか一項に記載の情報処理システム。
【請求項９】
前記情報登録装置が、
前記公開情報を前記画像形成媒体に出力する公開情報出力手段を有し、
前記公開情報出力手段は、
前記更新情報出力装置により出力された前記画像形成媒体上に、前記公開情報を出力するか否かを選択するマーキング領域がある場合に、
マーキングによって指示された前記公開情報を出力するか否かの選択情報に従って、前記公開情報を出力することを特徴とする請求項１ないし８のいずれか一項に記載の情報処理システム。
【請求項１０】
ネットワークを介して情報を公開する情報公開元の更新情報を画像形成媒体に出力する更新情報出力装置と、ユーザによって前記画像形成媒体上でマーキングされた前記更新情報に示す更新された公開情報の情報格納先をオンラインブックマークサービスに登録する情報登録装置とが、前記ネットワークで接続される情報処理システムにおける更新情報出力装置であって、
前記情報公開元における更新情報の情報格納先を示す収集対象情報を基に前記更新情報を収集する収集手段と、
前記収集手段により収集された前記更新情報と、前記公開情報の情報格納先を前記オンラインブックマークサービスに登録したときの前記公開情報の情報公開元が登録履歴として記録された登録履歴情報とを基に、前記ユーザによって、前記画像形成媒体上に出力された更新情報を選択するマーキング領域を有する所定の出力レイアウトで出力データを生成する生成手段とを有することを特徴とする更新情報出力装置。
【請求項１１】
前記生成手段は、
前記公開情報の情報格納先を前記オンラインブックマークサービスに登録したときの前記公開情報の情報公開元が登録履歴として記録された前記登録履歴情報であるブックマーク履歴情報から算出した前記公開情報の情報公開元の登録回数を基に、前記更新情報出力装置により出力される前記更新情報の出力順序を前記登録回数が多い順に並び替えた、前記所定の出力レイアウトで前記出力データを生成することを特徴とする請求項１０に記載の更新情報出力装置。
【請求項１２】
当該情報処理システムが、
タスクの情報を管理するタスク情報管理装置を有し、
前記生成手段は、
前記公開情報の情報格納先を、前記ユーザによって前記タスク情報管理装置で管理する前記タスクと関連付けて前記オンラインブックマークサービスに登録したときの前記公開情報の情報公開元が登録履歴として記録された前記登録履歴情報であるタスク関連付けブックマーク履歴情報から算出した前記公開情報の情報公開元の登録回数を基に、前記更新情報出力装置により出力される前記更新情報の出力順序を前記登録回数が多い順に並び替えた、前記所定の出力レイアウトで前記出力データを生成することを特徴とする請求項１０又は１１に記載の更新情報出力装置。
【請求項１３】
前記生成手段は、
前記収集手段により収集した前記更新情報と前記タスク関連付けブックマーク履歴情報とを基に前記出力データを生成するときに、
前記公開情報の情報格納先を前記オンラインブックマークサービスに登録したときの前記公開情報の情報公開元と前記タスクとの関連付け回数の頻度を基に、前記公開情報の情報公開元に関連付けの頻度の高い前記タスクの情報を付加した、前記公開情報の情報公開元に関連付ける前記タスクを選択するマーキング領域が含まれる前記所定の出力レイアウトで前記出力データを生成することを特徴とする請求項１０ないし１２のいずれか一項に記載の更新情報出力装置。
【請求項１４】
前記生成手段は、
前記収集手段により収集した前記更新情報と前記登録履歴情報とを基に、前記出力データを生成するときに、
前記公開情報の情報格納先を前記オンラインブックマークサービスに登録したときの前記公開情報の情報格納先を、ブックマーク情報として第三者に公開するか否かを選択するマーキング領域が含まれる前記所定の出力レイアウトで前記出力データを生成することを特徴とする請求項１０ないし１３のいずれか一項に記載の更新情報出力装置。
【請求項１５】
前記生成手段は、
前記収集手段により収集した前記更新情報と前記登録履歴情報とを基に、前記出力データを生成するときに、
前記オンラインブックマークサービスに登録する対象として選択された情報格納先に格納された公開情報を出力するか否かを選択するマーキング領域が含まれる前記所定の出力レイアウトで前記出力データを生成することを特徴とする請求項１０ないし１４のいずれか一項に記載の更新情報出力装置。
【請求項１６】
ネットワークを介して情報を公開する情報公開元の更新情報を画像形成媒体に出力する更新情報出力装置と、ユーザによって前記画像形成媒体上でマーキングされた前記更新情報に示す更新された公開情報の情報格納先をオンラインブックマークサービスに登録する情報登録装置とが、前記ネットワークで接続される情報処理システムにおける情報登録装置であって、
前記更新情報出力装置により出力され、前記ユーザによってマーキングされた前記画像形成媒体を読み取り、マーキングにより登録指示された前記更新情報に示す更新された公開情報の情報格納先を抽出する抽出手段と、
前記抽出手段により抽出された前記公開情報の情報格納先を前記オンラインブックマークサービスに登録したときの前記公開情報の情報公開元を登録履歴として記録する登録履歴情報記録手段とを有することを特徴とする情報登録装置。
【請求項１７】
当該情報登録装置が、
前記公開情報の情報格納先を前記オンラインブックマークサービスに登録する登録手段を有し、
前記登録手段は、
前記更新情報出力装置により出力された前記画像形成媒体上に、前記公開情報の情報公開元に関連付ける前記タスクを選択するマーキング領域がある場合に、
マーキングによって指示されたタスク関連付けの選択情報に従って、前記公開情報の情報格納先に、関連付ける前記タスクの情報を付加して登録することを特徴とする請求項１６に記載の情報登録装置。
【請求項１８】
当該情報登録装置が、
前記公開情報の情報格納先を前記オンラインブックマークサービスに登録する登録手段を有し、
前記登録手段は、
前記更新情報出力装置により出力された前記画像形成媒体上に、前記ブックマーク情報として第三者に公開するか否かを選択するマーキング領域がある場合に、
マーキングによって指示された前記ブックマーク情報として第三者に公開するか否かの選択情報に従って、前記公開情報の情報格納先に、前記ブックマーク情報として第三者に公開するか否かを指示する情報を付加して登録することを特徴とする請求項１６又は１７に記載の情報登録装置。
【請求項１９】
当該情報登録装置が、
前記公開情報を前記画像形成媒体に出力する公開情報出力手段を有し、
前記公開情報出力手段は、
前記更新情報出力装置により出力された前記画像形成媒体上に、前記公開情報を出力するか否かを選択するマーキング領域がある場合に、
マーキングによって指示された前記公開情報を出力するか否かの選択情報に従って、前記公開情報を出力することを特徴とする請求項１６ないし１８のいずれか一項に記載の情報登録装置。
【請求項２０】
ネットワークを介して情報を公開する情報公開元の更新情報を画像形成媒体に出力する更新情報出力装置と、ユーザによって前記画像形成媒体上でマーキングされた前記更新情報に示す更新された公開情報の情報格納先をオンラインブックマークサービスに登録する情報登録装置とが、前記ネットワークで接続される情報処理システムにおける情報処理方法であって、
前記更新情報出力装置は、
前記情報公開元における更新情報の情報格納先を示す収集対象情報を基に前記更新情報を収集する収集手順と、
前記収集手順により収集された前記更新情報と、前記公開情報の情報格納先を前記オンラインブックマークサービスに登録したときの前記公開情報の情報公開元が登録履歴として記録された登録履歴情報とを基に、前記ユーザによって、前記画像形成媒体上に出力された更新情報を選択するマーキング領域を有する所定の出力レイアウトで出力データを生成する生成手順と、
前記情報登録装置は、
前記更新情報出力装置により出力され、前記ユーザによってマーキングされた前記画像形成媒体を読み取り、マーキングにより登録指示された前記更新情報に示す更新された公開情報の情報格納先を抽出する抽出手順と、
前記抽出手順により抽出された前記公開情報の情報格納先を前記オンラインブックマークサービスに登録したときの前記公開情報の情報公開元を登録履歴として記録する登録履歴情報記録手段とを有することを特徴とする情報処理システムにおける情報処理方法。
【請求項２１】
ネットワークを介して情報を公開する情報公開元の更新情報を画像形成媒体に出力する更新情報出力装置と、ユーザによって前記画像形成媒体上でマーキングされた前記更新情報に示す更新された公開情報の情報格納先をオンラインブックマークサービスに登録する情報登録装置とが、前記ネットワークで接続される情報処理システムの更新情報出力装置における情報処理方法であって、
前記情報公開元における更新情報の情報格納先を示す収集対象情報を基に前記更新情報を収集する収集手順と、
前記収集手順により収集された前記更新情報と、前記公開情報の情報格納先を前記オンラインブックマークサービスに登録したときの前記公開情報の情報公開元が登録履歴として記録された登録履歴情報とを基に、前記ユーザによって、前記画像形成媒体上に出力された更新情報を選択するマーキング領域を有する所定の出力レイアウトで出力データを生成する生成手順とを有することを特徴とする更新情報出力装置における情報処理方法。
【請求項２２】
ネットワークを介して情報を公開する情報公開元の更新情報を画像形成媒体に出力する更新情報出力装置と、ユーザによって前記画像形成媒体上でマーキングされた前記更新情報に示す更新された公開情報の情報格納先をオンラインブックマークサービスに登録する情報登録装置とが、前記ネットワークで接続される情報処理システムの情報登録装置における情報処理方法であって、
前記更新情報出力装置により出力され、前記ユーザによってマーキングされた前記画像形成媒体を読み取り、マーキングにより登録指示された前記更新情報に示す更新された公開情報の情報格納先を抽出する抽出手順と、
前記抽出手順により抽出された前記公開情報の情報格納先を前記オンラインブックマークサービスに登録したときの前記公開情報の情報公開元を登録履歴として記録する登録履歴情報記録手段とを有することを特徴とする情報登録装置における情報処理方法。
【請求項２３】
ネットワークを介して情報を公開する情報公開元の更新情報を画像形成媒体に出力する更新情報出力装置と、ユーザによって前記画像形成媒体上でマーキングされた前記更新情報に示す更新された公開情報の情報格納先をオンラインブックマークサービスに登録する情報登録装置とが、前記ネットワークで接続される情報処理システムの更新情報出力装置における情報処理プログラムであって、
コンピュータに、
前記情報公開元における更新情報の情報格納先を示す収集対象情報を基に前記更新情報を収集する収集手段と、
前記収集手段により収集された前記更新情報と、前記公開情報の情報格納先を前記オンラインブックマークサービスに登録したときの前記公開情報の情報公開元が登録履歴として記録された登録履歴情報とを基に、前記ユーザによって、前記画像形成媒体上に出力された更新情報を選択するマーキング領域を有する所定の出力レイアウトで出力データを生成する生成手段として機能させる更新情報出力装置における情報処理プログラム。
【請求項２４】
ネットワークを介して情報を公開する情報公開元の更新情報を画像形成媒体に出力する更新情報出力装置と、ユーザによって前記画像形成媒体上でマーキングされた前記更新情報に示す更新された公開情報の情報格納先をオンラインブックマークサービスに登録する情報登録装置とが、前記ネットワークで接続される情報処理システムの情報登録装置における情報処理プログラムであって、
コンピュータを、
前記更新情報出力装置により出力され、前記ユーザによってマーキングされた前記画像形成媒体を読み取り、マーキングにより登録指示された前記更新情報に示す更新された公開情報の情報格納先を抽出する抽出手段と、
前記抽出手段により抽出された前記公開情報の情報格納先を前記オンラインブックマークサービスに登録したときの前記公開情報の情報公開元を登録履歴として記録する登録履歴情報記録手段として機能させる情報登録装置における情報処理プログラム。
【発明の詳細な説明】
【技術分野】
【０００１】
本発明は、収集した情報をオンラインブックマークサービスに登録する情報処理システムに関するものである。
【背景技術】
【０００２】
近年インターネットの普及やオフィス環境の電子化などに伴い、ユーザは、ネットワークを介して公開されている情報（以下、「公開情報」と言う。）を簡便に収集することができるようになった。例えば、ユーザは、Webサイトや情報データベースなどの情報ソース（情報公開元）の更新情報を、ネットワークを介して配信する「RSS（Rich Site Summary）配信」と呼ばれるサービスなどを利用して大量の情報を収集することができる。
【０００３】
そこで問題となるのは、「収集した大量の情報を効率的に利用する」という点である。収集した情報を効率的に利用するためには、「大量の情報を効率良く管理する」必要がある。
【０００４】
情報を効率良く管理するための技術として、オンラインブックマークサービスと呼ばれるサービスがある。これは、ユーザが、必要に応じてWebブラウザで閲覧する文書（公開情報が記載されたページ）をブックマークとして登録でき、またブックマークとして登録した情報（以下、「ブックマーク情報」と言う。）をネットワーク上に保持して、第三者と共有すること（第三者にブックマーク情報を公開すること）ができるサービスである。例えば、現在公開されているオンラインブックマークサービスには、「del.icio.us（http://del.icio.us/）」や「はてなブックマーク（http://b.hatena.ne.jp/）」などがある。
【０００５】
ユーザは、このようなオンラインブックマークサービスを利用し、収集した更新情報のうち、必要だと思われる情報をブックマーク情報として登録しておくことで、後に、その情報に対して検索・閲覧などの情報アクセス操作を簡便に行うことができ、更には、登録したブックマーク情報を、第三者と共有することができ、収集した情報を効率良く管理し、かつ収集した情報を情報共有したい第三者と有効に利用することができる。
【０００６】
このオンラインブックマークサービス以外にも、「ユーザが取り扱う情報を効率的に管理する」従来技術として、特許文献１に提案される「ユーザが任意のアプリケーションで閲覧している任意の文書に対して評価情報を簡単に入力・登録（ブックマーク）することができ、登録した評価情報を共有することで、大量の情報の中から有益な情報を効率的に利用することができる」情報処理装置や、特許文献２に提案される「ユーザが複数のシステムやサービスに分散して管理されているタスクに関連する情報をタスクという観点で管理することができ、かつユーザが複数のタスクやグループに属している場合であっても、個人的に必要な情報の整理、管理と、グループで共有すべき情報の管理とを同じ情報空間で簡単にシームレスに行うことができる」情報処理装置などがある。
【０００７】
こうした技術を利用することで、ユーザは、大量の情報収集を効率的に管理することができる。
【０００８】
しかし、収集した大量の情報を効率的に管理する中で、大量の情報の中から、ユーザにとって必要な情報を抽出するためには、ユーザが情報の内容を確認し、必要な情報か否かを判断する必要がある。
【０００９】
例えば、ユーザは、RSS配信で収集した公開情報の更新情報を閲覧するために、RSSリーダと呼ばれる情報閲覧ソフトウェアなどの閲覧ソフトウェアを利用して更新された情報の一覧を表示し、情報の内容を確認することにより、必要な情報を見つけことができる。
【００１０】
現状では、このような情報閲覧ソフトウェアなどを利用して、大量の情報の中から必要な情報を判断するしかなく、ユーザが、情報閲覧ソフトウェアが動作する環境が利用できる状況でしか作業が行えないという問題がある。また、情報閲覧ソフトウェアが動作する環境における画面サイズや画面の解像度などの機器性能によっては、情報の内容を確認して必要な情報か否かを判断する作業、あるいは必要な情報を登録する作業などが困難な場合もある。
【００１１】
そのため、「大量に収集した情報の中から必要な情報を抽出し効率的に管理する」ことを支援する技術が望まれている。
【００１２】
そこで考えられるのは、収集した情報を人間が読むこと、加筆することのできる紙に出力し、ユーザによって紙に出力された情報を基に、その情報の中から必要な情報を判断し、必要な情報にはペンでマーキングを行い、マーキングした紙を読み取ることで、マークされた登録対象情報を抽出して、その情報をオンラインブックマークサービスに登録を行うという方法である。
【００１３】
例えば、ユーザによってマーキングされた紙を読み取ることで、装置が、マーキングによって指示された処理を行う技術には、特許文献３に提案される「メモリーカードに記憶されている画像ファイルの印刷をユーザに選択させるためのオーダーシートを印刷し、ユーザがマークしたオーダーシートをスキャナで読み込むことで、画像ファイルの印刷を行う」印刷装置や、特許文献４に提案される「彩度、明度、コントラストなどの印刷設定項目をユーザに選択させるためのオーダーシートを印刷し、ユーザがマークしたオーダーシートをスキャナで読み込むことで、指定された印刷設定で印刷を行う」印刷装置などがあり、ユーザが使い慣れている紙の利便性を生かした方法が提案されている。
【特許文献１】特開２００６−２６０５２２号公報
【特許文献２】特開２００７−０４８２４０号公報
【特許文献３】特開２００５−１１１８０２号公報
【特許文献４】特開２００５−３２４５２６号公報
【発明の開示】
【発明が解決しようとする課題】
【００１４】
しかしながら、大量の情報の中から必要な情報を抽出するときのユーザインタフェースとして紙を利用することは、情報の一覧性や可搬性、更にユーザが使い慣れている点などで優れているが、大量にある全ての情報を単純に並べて紙へ印刷した場合、ユーザは、大量の情報の中から必要な情報を判断する際に、紙に印刷された情報をシーケンシャルに読んでいく（閲覧する）必要があり、場合によっては、必要な情報を見つけるまで大量の情報を読まなくてはならない。そのためユーザにとっては、必要な情報を見つけるまでの作業が負担となる問題がある。
【００１５】
また、ユーザが紙にマーキングすることで装置への処理を指示するときに、マーキングする内容が複雑な場合やマーキングする内容の種類が多い場合など、マーキングによって指示する処理内容を表した一覧の中から必要な処理内容を探し出し、紙面上にその処理内容を指示するマークを記入する必要がある。そのためユーザにとっては、マーキングする内容が複雑である場合やマーキングする内容の種類が多い場合ほど、紙面上にマーキングする作業が負担となる問題がある。
【００１６】
また、マーキングによって選択された情報をオンラインブックマークサービスに登録した場合に、「登録した情報を第三者に公開し情報を共有する」や「登録した情報を紙に印刷する」などの処理を登録した後に行うという作業は、ユーザにとって煩雑な作業であり、これらの処理も情報を登録する際の一連の作業の中で簡便かつ効率的に行うことも望まれている。
【００１７】
本発明では、上記従来技術の問題点に鑑み、収集した情報を簡便にオンラインブックマークサービスへ登録できる情報処理システム、更新情報出力装置、情報登録装置、情報処理システムにおける情報処理方法、及び情報処理システムにおける情報処理プログラムを提供することを目的とする。
【課題を解決するための手段】
【００１８】
上記目的を達成するため、本発明の情報処理システムは、ネットワークを介して情報を公開する情報公開元の更新情報を画像形成媒体に出力する更新情報出力装置と、ユーザによって前記画像形成媒体上でマーキングされた前記更新情報に示す更新された公開情報の情報格納先をオンラインブックマークサービスに登録する情報登録装置とが、前記ネットワークで接続される情報処理システムであって、前記更新情報出力装置が、前記情報公開元における更新情報の情報格納先を示す収集対象情報を基に前記更新情報を収集する収集手段と、前記収集手段により収集された前記更新情報と、前記公開情報の情報格納先を前記オンラインブックマークサービスに登録したときの前記公開情報の情報公開元が登録履歴として記録された登録履歴情報とを基に、前記ユーザによって、前記画像形成媒体上に出力された更新情報を選択するマーキング領域を有する所定の出力レイアウトで出力データを生成する生成手段と、前記情報登録装置が、前記更新情報出力装置により出力され、前記ユーザによってマーキングされた前記画像形成媒体を読み取り、マーキングにより登録指示された前記更新情報に示す更新された公開情報の情報格納先を抽出する抽出手段と、前記抽出手段により抽出された前記公開情報の情報格納先を前記オンラインブックマークサービスに登録したときの前記公開情報の情報公開元を登録履歴として記録する登録履歴情報記録手段とを有することを特徴とする。
【００１９】
これによって、本発明の情報処理システムは、公開情報の情報格納先をオンラインブックマークサービスに登録したときの公開情報の情報格納先が登録履歴として記録された登録履歴情報を基に、画像形成媒体上での出力する更新情報の並び順を変更した、当該システムへの処理を指示するためのマーキング領域を含む出力レイアウトで出力データを生成し、生成した出力データを印刷機能によって画像形成媒体に出力するとともに、ユーザによって画像形成媒体上でマーキングされ、オンラインブックマークサービスに登録する対象として選択された情報や当該システムへの処理を指示する情報とを抽出し、抽出した処理を指示する情報に従って、抽出した登録対象情報（公開情報の情報格納先）をオンラインブックマークサービスに登録することにより、ユーザが、収集した情報を簡便にオンラインブックマークサービスに登録することができる。
【００２０】
また、上記目的を達成するため、本発明の情報処理システムは、前記生成手段において、前記公開情報の情報格納先を前記オンラインブックマークサービスに登録したときの前記公開情報の情報公開元が登録履歴として記録された前記登録履歴情報であるブックマーク履歴情報から算出した前記公開情報の情報公開元の登録回数を基に、前記更新情報出力装置により出力される前記更新情報の出力順序を前記登録回数が多い順に並び替えた、前記所定の出力レイアウトで前記出力データを生成することを特徴とする。
【００２１】
また、上記目的を達成するため、本発明の情報処理システムは、当該情報処理システムが、タスクの情報を管理するタスク情報管理装置を有し、前記生成手段において、前記公開情報の情報格納先を、前記ユーザによって前記タスク情報管理装置で管理する前記タスクと関連付けて前記オンラインブックマークサービスに登録したときの前記公開情報の情報公開元が登録履歴として記録された前記登録履歴情報であるタスク関連付けブックマーク履歴情報から算出した前記公開情報の情報公開元の登録回数を基に、前記更新情報出力装置により出力される前記更新情報の出力順序を前記登録回数が多い順に並び替えた、前記所定の出力レイアウトで前記出力データを生成することを特徴とする。
【００２２】
これによって、本発明の情報処理システムは、登録履歴情報であるブックマーク情報を基に、画像形成媒体上での出力する更新情報の並び順を変更することにより、ユーザの登録頻度に応じた出力レイアウトで出力データを生成することができる。
【００２３】
また、上記目的を達成するため、本発明の情報処理システムは、前記生成手段において、前記収集手段により収集した前記更新情報と前記タスク関連付けブックマーク履歴情報とを基に前記出力データを生成するときに、前記公開情報の情報格納先を前記オンラインブックマークサービスに登録したときの前記公開情報の情報公開元と前記タスクとの関連付け回数の頻度を基に、前記公開情報の情報公開元に関連付けの頻度の高い前記タスクの情報を付加した、前記公開情報の情報公開元に関連付ける前記タスクを選択するマーキング領域が含まれる前記所定の出力レイアウトで前記出力データを生成することを特徴とする。
【００２４】
これによって、本発明の情報処理システムは、登録した公開情報の情報公開元とタスクとの対応付け回数の頻度を基に、画像形成媒体上でのタスクに関連付けて情報を登録する処理を指示するためのマーキング領域に、登録情報に関連付ける候補となるタスク情報を付加することにより、ユーザが関連するタスクと出力する更新情報とを対応付けた出力レイアウトで出力データを生成することができる。
【００２５】
また、上記目的を達成するため、本発明の情報処理システムは、前記生成手段において、前記収集手段により収集した前記更新情報と前記登録履歴情報とを基に、前記出力データを生成するときに、前記公開情報の情報格納先を前記オンラインブックマークサービスに登録したときの前記公開情報の情報格納先を、ブックマーク情報として第三者に公開するか否かを選択するマーキング領域が含まれる前記所定の出力レイアウトで前記出力データを生成することを特徴とする。
【００２６】
これによって、本発明の情報処理システムは、オンラインブックマークサービスに登録した後、登録した情報を第三者に公開する（第三者と共有する）か否かを指示できるマーキング領域を出力レイアウトに含ませることにより、ユーザが、登録する情報を選択するときに、オンラインブックマークサービスにおいて、登録後の情報を第三者に公開するか否かを選択することができる。
【００２７】
また、上記目的を達成するため、本発明の情報処理システムは、前記生成手段において、前記収集手段により収集した前記更新情報と前記登録履歴情報とを基に、前記出力データを生成するときに、前記オンラインブックマークサービスに登録する対象として選択された情報格納先に格納された公開情報を出力するか否かを選択するマーキング領域が含まれる前記所定の出力レイアウトで前記出力データを生成することを特徴とする。
【００２８】
これによって、本発明の情報処理システムは、オンラインブックマークサービスに登録する情報を印刷機能により画像形成媒体に出力するか否かを指示できるマーキング領域を出力レイアウトに含ませることにより、ユーザが、登録する情報を選択するときに、オンラインブックマークサービスに登録する情報を画像形成媒体に出力するか否かを選択することができる。
【００２９】
また、上記目的を達成するため、本発明の情報処理システムは、前記情報登録装置が、前記公開情報の情報格納先を前記オンラインブックマークサービスに登録する登録手段を有し、前記登録手段において、前記更新情報出力装置により出力された前記画像形成媒体上に、前記公開情報の情報公開元に関連付ける前記タスクを選択するマーキング領域がある場合に、マーキングによって指示されたタスク関連付けの選択情報に従って、前記公開情報の情報格納先に、関連付ける前記タスクの情報を付加して登録することを特徴とする。
【００３０】
これによって、本発明の情報処理システムは、画像形成媒体上のマーキングによって選択された、情報に関連付けるタスクの選択情報を抽出することにより、オンラインブックマークサービスに、タスクに関連付けて情報を登録することができる。
【００３１】
また、上記目的を達成するため、本発明の情報処理システムは、前記情報登録装置が、前記公開情報の情報格納先を前記オンラインブックマークサービスに登録する登録手段を有し、前記登録手段において、前記更新情報出力装置により出力された前記画像形成媒体上に、前記ブックマーク情報として第三者に公開するか否かを選択するマーキング領域がある場合に、マーキングによって指示された前記ブックマーク情報として第三者に公開するか否かの選択情報に従って、前記公開情報の情報格納先に、前記ブックマーク情報として第三者に公開するか否かを指示する情報を付加して登録することを特徴とする。
【００３２】
これによって、本発明の情報処理システムは、画像形成媒体上のマーキングによって選択された、登録した情報を第三者に公開する（第三者と共有する）か否かの選択情報を抽出することにより、オンラインブックマークサービスに、登録する情報を第三者に公開する（第三者と共有する）か否かを指示することができる。
【００３３】
また、上記目的を達成するため、本発明の情報処理システムは、前記情報登録装置が、前記公開情報を前記画像形成媒体に出力する公開情報出力手段を有し、前記公開情報出力手段において、前記更新情報出力装置により出力された前記画像形成媒体上に、前記公開情報を出力するか否かを選択するマーキング領域がある場合に、マーキングによって指示された前記公開情報を出力するか否かの選択情報に従って、前記公開情報を出力することを特徴とする。
【００３４】
これによって、本発明の情報処理システムは、画像形成媒体上のマーキングによって選択された、登録する情報を印刷機能により画像形成媒体に出力するか否かの選択情報を抽出することにより、印刷機能を有する装置に登録する情報を出力させることができる。
【００３５】
上記目的を達成するため、本発明の更新情報出力装置は、ネットワークを介して情報を公開する情報公開元の更新情報を画像形成媒体に出力する更新情報出力装置と、ユーザによって前記画像形成媒体上でマーキングされた前記更新情報に示す更新された公開情報の情報格納先をオンラインブックマークサービスに登録する情報登録装置とが、前記ネットワークで接続される情報処理システムにおける更新情報出力装置であって、前記情報公開元における更新情報の情報格納先を示す収集対象情報を基に前記更新情報を収集する収集手段と、前記収集手段により収集された前記更新情報と、前記公開情報の情報格納先を前記オンラインブックマークサービスに登録したときの前記公開情報の情報公開元が登録履歴として記録された登録履歴情報とを基に、前記ユーザによって、前記画像形成媒体上に出力された更新情報を選択するマーキング領域を有する所定の出力レイアウトで出力データを生成する生成手段とを有することを特徴とする。
【００３６】
これによって、本発明の更新情報出力装置は、公開情報の情報格納先をオンラインブックマークサービスに登録したときの公開情報の情報公開元が登録履歴として記録された登録履歴情報を基に、画像形成媒体上での出力する更新情報の並び順を変更した、当該システムへの処理を指示するためのマーキング領域を含む出力レイアウトで出力データを生成し、生成した出力データを印刷機能によって画像形成媒体に出力することにより、ユーザが、画像形成媒体上に出力された全ての情報から必要な情報を選択しやすい、すなわち大量の情報から必要な情報へ効率的にアクセスすることができる。
【００３７】
また、上記目的を達成するため、本発明の更新情報出力装置は、前記生成手段において、前記公開情報の情報格納先を前記オンラインブックマークサービスに登録したときの前記公開情報の情報公開元が登録履歴として記録された前記登録履歴情報であるブックマーク履歴情報から算出した前記公開情報の情報公開元の登録回数を基に、前記更新情報出力装置により出力される前記更新情報の出力順序を前記登録回数が多い順に並び替えた、前記所定の出力レイアウトで前記出力データを生成することを特徴とする。
【００３８】
また、上記目的を達成するため、本発明の更新情報出力装置は、当該情報処理システムが、タスクの情報を管理するタスク情報管理装置を有し、前記生成手段において、前記公開情報の情報格納先を、前記ユーザによって前記タスク情報管理装置で管理する前記タスクと関連付けて前記オンラインブックマークサービスに登録したときの前記公開情報の情報公開元が登録履歴として記録された前記登録履歴情報であるタスク関連付けブックマーク履歴情報から算出した前記公開情報の情報公開元の登録回数を基に、前記更新情報出力装置により出力される前記更新情報の出力順序を前記登録回数が多い順に並び替えた、前記所定の出力レイアウトで前記出力データを生成することを特徴とする。
【００３９】
これによって、本発明の更新情報出力装置は、登録履歴情報であるブックマーク情報を基に、画像形成媒体上での出力する更新情報の並びや前記システムへの処理を指示するためのマーキング領域などの配置を変更することにより、ユーザの登録頻度に応じた出力レイアウトで出力データを生成することができる。
【００４０】
また、上記目的を達成するため、本発明の更新情報出力装置は、前記生成手段において、前記収集手段により収集した前記更新情報と前記タスク関連付けブックマーク履歴情報とを基に前記出力データを生成するときに、前記公開情報の情報格納先を前記オンラインブックマークサービスに登録したときの前記公開情報の情報公開元と前記タスクとの関連付け回数の頻度を基に、前記公開情報の情報公開元に関連付けの頻度の高い前記タスクの情報を付加した、前記公開情報の情報公開元に関連付ける前記タスクを選択するマーキング領域が含まれる前記所定の出力レイアウトで前記出力データを生成することを特徴とする。
【００４１】
これによって、本発明の更新情報出力装置は、登録した公開情報の情報公開元とタスクとの対応付け回数の頻度を基に、画像形成媒体上でのタスクに関連付けて情報を登録する処理を指示するためのマーキング領域に、登録情報に関連付ける候補となるタスク情報を付加することにより、ユーザが関連するタスクと出力する更新情報とを対応付けた出力レイアウトで出力データを生成することができる。
【００４２】
また、上記目的を達成するため、本発明の更新情報出力装置は、前記生成手段において、前記収集手段により収集した前記更新情報と前記登録履歴情報とを基に、前記出力データを生成するときに、前記公開情報の情報格納先を前記オンラインブックマークサービスに登録したときの前記公開情報の情報格納先を、ブックマーク情報として第三者に公開するか否かを選択するマーキング領域が含まれる前記所定の出力レイアウトで前記出力データを生成することを特徴とする。
【００４３】
これによって、本発明の更新情報出力装置は、オンラインブックマークサービスに登録した後、登録した情報を第三者に公開する（第三者と共有する）か否かを指示できるマーキング領域を出力レイアウトに含ませることにより、ユーザが、登録する情報を選択するときに、オンラインブックマークサービスにおいて、登録後の情報を第三者に公開するか否かを選択することができる。
【００４４】
また、上記目的を達成するため、本発明の更新情報出力装置は、前記生成手段において、前記収集手段により収集した前記更新情報と前記登録履歴情報とを基に、前記出力データを生成するときに、前記オンラインブックマークサービスに登録する対象として選択された情報格納先に格納された公開情報を出力するか否かを選択するマーキング領域が含まれる前記所定の出力レイアウトで前記出力データを生成することを特徴とする。
【００４５】
これによって、本発明の更新情報出力装置は、オンラインブックマークサービスに登録する情報を印刷機能により画像形成媒体に出力するか否かを指示できるマーキング領域を出力レイアウトに含ませることにより、ユーザが、登録する情報を選択するときに、オンラインブックマークサービスに登録する情報を画像形成媒体に出力するか否かを選択することができる。
【００４６】
上記目的を達成するため、本発明の情報登録装置は、ネットワークを介して情報を公開する情報公開元の更新情報を画像形成媒体に出力する更新情報出力装置と、ユーザによって前記画像形成媒体上でマーキングされた前記更新情報に示す更新された公開情報の情報格納先をオンラインブックマークサービスに登録する情報登録装置とが、前記ネットワークで接続される情報処理システムにおける情報登録装置であって、前記更新情報出力装置により出力され、前記ユーザによってマーキングされた前記画像形成媒体を読み取り、マーキングにより登録指示された前記更新情報に示す更新された公開情報の情報格納先を抽出する抽出手段と、前記抽出手段により抽出された前記公開情報の情報格納先を前記オンラインブックマークサービスに登録したときの前記公開情報の情報公開元を登録履歴として記録する登録履歴情報記録手段とを有することを特徴とする。
【００４７】
これによって、本発明の情報登録装置は、ユーザによって画像形成媒体上でマーキングされ、オンラインブックマークサービスに登録する対象として選択された情報や前記システムへの処理を指示する情報とを抽出し、抽出した処理を指示する情報に従って、抽出した登録対象情報（公開情報の情報格納先）をオンラインブックマークサービスに登録することにより、ユーザが、オンラインブックマークサービスを利用して必要な情報を簡便に管理することができる。
【００４８】
また、上記目的を達成するため、本発明の情報登録装置は、当該情報登録装置が、前記公開情報の情報格納先を前記オンラインブックマークサービスに登録する登録手段を有し、前記登録手段において、前記更新情報出力装置により出力された前記画像形成媒体上に、前記公開情報の情報公開元に関連付ける前記タスクを選択するマーキング領域がある場合に、マーキングによって指示されたタスク関連付けの選択情報に従って、前記公開情報の情報格納先に、関連付ける前記タスクの情報を付加して登録することを特徴とする。
【００４９】
これによって、本発明の情報登録装置は、画像形成媒体上のマーキングによって選択された、情報に関連付けるタスクの選択情報を抽出することにより、オンラインブックマークサービスに、タスクに関連付けて情報を登録することができる。
【００５０】
また、上記目的を達成するため、本発明の情報登録装置は、当該情報登録装置が、前記公開情報の情報格納先を前記オンラインブックマークサービスに登録する登録手段を有し、前記登録手段において、前記更新情報出力装置により出力された前記画像形成媒体上に、前記ブックマーク情報として第三者に公開するか否かを選択するマーキング領域がある場合に、マーキングによって指示された前記ブックマーク情報として第三者に公開するか否かの選択情報に従って、前記公開情報の情報格納先に、前記ブックマーク情報として第三者に公開するか否かを指示する情報を付加して登録することを特徴とする。
【００５１】
これによって、本発明の情報登録装置は、画像形成媒体上のマーキングによって選択された、登録した情報を第三者に公開する（第三者と共有する）か否かの選択情報を抽出することにより、オンラインブックマークサービスに、登録する情報を第三者に公開する（第三者と共有する）か否かを指示することができる。
【００５２】
また、上記目的を達成するため、本発明の情報登録装置は、当該情報登録装置が、前記公開情報を前記画像形成媒体に出力する公開情報出力手段を有し、前記公開情報出力手段において、前記更新情報出力装置により出力された前記画像形成媒体上に、前記公開情報を出力するか否かを選択するマーキング領域がある場合に、マーキングによって指示された前記公開情報を出力するか否かの選択情報に従って、前記公開情報を出力することを特徴とする。
【００５３】
これによって、本発明の情報登録装置は、画像形成媒体上のマーキングによって選択された、登録する情報を印刷機能により画像形成媒体に出力するか否かの選択情報を抽出することにより、印刷機能を有する装置に登録する情報を出力させることができる。
【００５４】
上記目的を達成するため、本発明の情報処理システムにおける情報処理方法は、ネットワークを介して情報を公開する情報公開元の更新情報を画像形成媒体に出力する更新情報出力装置と、ユーザによって前記画像形成媒体上でマーキングされた前記更新情報に示す更新された公開情報の情報格納先をオンラインブックマークサービスに登録する情報登録装置とが、前記ネットワークで接続される情報処理システムにおける情報処理方法であって、前記更新情報出力装置が、前記情報公開元における更新情報の情報格納先を示す収集対象情報を基に前記更新情報を収集する収集手順と、前記収集手順により収集された前記更新情報と、前記公開情報の情報格納先を前記オンラインブックマークサービスに登録したときの前記公開情報の情報公開元が登録履歴として記録された登録履歴情報とを基に、前記ユーザによって、前記画像形成媒体上に出力された更新情報を選択するマーキング領域を有する所定の出力レイアウトで出力データを生成する生成手順と、前記情報登録装置が、前記更新情報出力装置により出力され、前記ユーザによってマーキングされた前記画像形成媒体を読み取り、マーキングにより登録指示された前記更新情報に示す更新された公開情報の情報格納先を抽出する抽出手順と、前記抽出手順により抽出された前記公開情報の情報格納先を前記オンラインブックマークサービスに登録したときの前記公開情報の情報公開元を登録履歴として記録する登録履歴情報記録手段とを有することを特徴とする。
【００５５】
これによって、本発明の情報処理システムにおける情報処理方法は、公開情報の情報格納先をオンラインブックマークサービスに登録したときの公開情報の情報公開元が登録履歴として記録された登録履歴情報を基に、画像形成媒体上での出力する更新情報の並び順を変更した、当該システムへの処理を指示するためのマーキング領域を含む出力レイアウトで出力データを生成し、生成した出力データを印刷機能によって画像形成媒体に出力するとともに、ユーザによって画像形成媒体上でマーキングされ、オンラインブックマークサービスに登録する対象として選択された情報や前記システムへの処理を指示する情報とを抽出し、抽出した処理を指示する情報に従って、抽出した登録対象情報（公開情報の情報格納先）をオンラインブックマークサービスに登録することにより、ユーザが、収集した情報の中から必要な情報を簡便にオンラインブックマークサービスに登録することができる。
【００５６】
上記目的を達成するため、本発明の情報処理システムにおける更新情報出力装置の情報処理方法は、ネットワークを介して情報を公開する情報公開元の更新情報を画像形成媒体に出力する更新情報出力装置と、ユーザによって前記画像形成媒体上でマーキングされた前記更新情報に示す更新された公開情報の情報格納先をオンラインブックマークサービスに登録する情報登録装置とが、前記ネットワークで接続される情報処理システムの更新情報出力装置における情報処理方法であって、前記情報公開元における更新情報の情報格納先を示す収集対象情報を基に前記更新情報を収集する収集手順と、前記収集手順により収集された前記更新情報と、前記公開情報の情報格納先を前記オンラインブックマークサービスに登録したときの前記公開情報の情報公開元が登録履歴として記録された登録履歴情報とを基に、前記ユーザによって、前記画像形成媒体上に出力された更新情報を選択するマーキング領域を有する所定の出力レイアウトで出力データを生成する生成手順とを有することを特徴とする。
【００５７】
これによって、本発明の情報処理システムにおける更新情報出力装置の情報処理方法は、公開情報の情報格納先をオンラインブックマークサービスに登録したときの公開情報の情報公開元が登録履歴として記録された登録履歴情報を基に、画像形成媒体上での出力する更新情報の並び順を変更した、当該システムへの処理を指示するためのマーキング領域を含む出力レイアウトで出力データを生成し、生成した出力データを印刷機能によって画像形成媒体に出力することにより、ユーザが、画像形成媒体上に出力された全ての情報から必要な情報を選択しやすい、すなわち大量の情報から必要な情報へ効率的にアクセスすることができる。
【００５８】
上記目的を達成するため、本発明の情報処理システムにおける情報登録装置の情報処理方法は、ネットワークを介して情報を公開する情報公開元の更新情報を画像形成媒体に出力する更新情報出力装置と、ユーザによって前記画像形成媒体上でマーキングされた前記更新情報に示す更新された公開情報の情報格納先をオンラインブックマークサービスに登録する情報登録装置とが、前記ネットワークで接続される情報処理システムの情報登録装置における情報処理方法であって、前記更新情報出力装置により出力され、前記ユーザによってマーキングされた前記画像形成媒体を読み取り、マーキングにより登録指示された前記更新情報に示す更新された公開情報の情報格納先を抽出する抽出手順と、前記抽出手順により抽出された前記公開情報の情報格納先を前記オンラインブックマークサービスに登録したときの前記公開情報の情報公開元を登録履歴として記録する登録履歴情報記録手段とを有することを特徴とする。
【００５９】
これによって、本発明の情報処理システムにおける情報登録装置の情報処理方法は、ユーザによって画像形成媒体上でマーキングされ、オンラインブックマークサービスに登録する対象として選択された情報や前記システムへの処理を指示する情報とを抽出し、抽出した処理を指示する情報に従って、抽出した登録対象情報（公開情報の情報格納先）をオンラインブックマークサービスに登録することにより、ユーザが、オンラインブックマークサービスを利用して必要な情報を簡便に管理することができる。
【００６０】
上記目的を達成するため、本発明の情報処理システムにおける更新情報出力装置の情報処理プログラムは、ネットワークを介して情報を公開する情報公開元の更新情報を画像形成媒体に出力する更新情報出力装置と、ユーザによって前記画像形成媒体上でマーキングされた前記更新情報に示す更新された公開情報の情報格納先をオンラインブックマークサービスに登録する情報登録装置とが、前記ネットワークで接続される情報処理システムの更新情報出力装置における情報処理プログラムであって、コンピュータに、前記情報公開元における更新情報の情報格納先を示す収集対象情報を基に前記更新情報を収集する収集手段と、前記収集手段により収集された前記更新情報と、前記公開情報の情報格納先を前記オンラインブックマークサービスに登録したときの前記公開情報の情報公開元が登録履歴として記録された登録履歴情報とを基に、前記ユーザによって、前記画像形成媒体上に出力された更新情報を選択するマーキング領域を有する所定の出力レイアウトで出力データを生成する生成手段として機能させる。
【００６１】
これによって、本発明の情報処理システムにおける更新情報出力装置の情報処理プログラムは、コンピュータを、公開情報の情報格納先をオンラインブックマークサービスに登録したときの公開情報の情報公開元が登録履歴として記録された登録履歴情報を基に、画像形成媒体上での出力する更新情報の並び順を変更した、当該システムへの処理を指示するためのマーキング領域を含む出力レイアウトで出力データを生成し、生成した出力データを印刷機能によって画像形成媒体に出力するように機能させることができる。
【００６２】
上記目的を達成するため、本発明の情報処理システムにおける情報登録装置の情報処理プログラムは、ネットワークを介して情報を公開する情報公開元の更新情報を画像形成媒体に出力する更新情報出力装置と、ユーザによって前記画像形成媒体上でマーキングされた前記更新情報に示す更新された公開情報の情報格納先をオンラインブックマークサービスに登録する情報登録装置とが、前記ネットワークで接続される情報処理システムの情報登録装置における情報処理プログラムであって、コンピュータを、前記更新情報出力装置により出力され、前記ユーザによってマーキングされた前記画像形成媒体を読み取り、マーキングにより登録指示された前記更新情報に示す更新された公開情報の情報格納先を抽出する抽出手段と、前記抽出手段により抽出された前記公開情報の情報格納先を前記オンラインブックマークサービスに登録したときの前記公開情報の情報公開元を登録履歴として記録する登録履歴情報記録手段として機能させる。
【００６３】
これによって、本発明の情報処理システムにおける更新情報出力装置の情報処理プログラムは、コンピュータを、ユーザによって画像形成媒体上でマーキングされ、オンラインブックマークサービスに登録する対象として選択された情報や前記システムへの処理を指示する情報とを抽出し、抽出した処理を指示する情報に従って、抽出した登録対象情報（公開情報の情報格納先）をオンラインブックマークサービスに登録するように機能させることができる。
【００６４】
よって、本発明の情報処理システムは、コンピュータで、ユーザが、収集した情報の中から必要な情報を簡便にオンラインブックマークサービスに登録する機能を実現することができる。
【発明の効果】
【００６５】
本発明によれば、公開情報の情報格納先をオンラインブックマークサービスに登録したときの公開情報の情報公開元が登録履歴として記録された登録履歴情報を基に、画像形成媒体上での出力する更新情報の並び順を変更した、当該システムへの処理を指示するためのマーキング領域を含む出力レイアウトで出力データを生成し、生成した出力データを印刷機能によって画像形成媒体に出力するとともに、ユーザによって画像形成媒体上でマーキングされ、オンラインブックマークサービスに登録する対象として選択された情報や当該システムへの処理を指示する情報とを抽出し、抽出した処理を指示する情報に従って、抽出した登録対象情報（公開情報の情報格納先）をオンラインブックマークサービスに登録することにより、収集した情報を簡便にオンラインブックマークサービスへ登録できる情報処理システム、更新情報出力装置、情報登録装置、情報処理システムにおける情報処理方法、及び情報処理システムにおける情報処理プログラムを提供することができる。
【発明を実施するための最良の形態】
【００６６】
以下、本発明の好適な実施の形態（以下、「実施形態」と言う。）について、図面を用いて詳細に説明する。
【００６７】
［第１の実施形態］
＜更新情報出力装置及び情報登録装置のハードウェア構成について＞
まず、本実施形態に係る情報処理システムが有する機能を実現するために必要な更新情報出力装置及び情報登録装置のハードウェア構成について、図１及び図２を用いて説明する。
【００６８】
＜＜更新情報出力装置＞＞
図１は、本発明の実施形態１に係る更新情報出力装置１００のハードウェア構成の一例を示す図である。
【００６９】
図１に示すように、本実施形態に係る更新情報出力装置１００は、制御部１１、主記憶部１２、補助記憶部１３、ネットワークI/F１４、表示部１５、入力部１６、及び印刷部１７とから構成されている。
【００７０】
制御部（CPU：Central Processing Unit）１１は、以下に説明する主記憶部１２、補助記憶部１３、及びネットワークI/F１４など、本実施形態に係る更新情報出力装置１００が有する各装置の制御を行う。また、制御部１１は、主記憶部１２や補助記憶部１３に記憶されたプログラムを実行する装置で、例えば、ネットワークI/F１４を介して受信したデータを演算・加工した上で、印刷部（プロッタ部）１７や補助記憶部１３に出力する（例えば、ネットワークI/F１４を介して受信した画像データを画像形成媒体に印刷するなど）。
【００７１】
主記憶部（ROM：Read Only Memory、RAM：Random Access Memory）１２は、制御部１１が実行するプログラムや関連するデータを記憶（一時的に保持する場合も含む）する装置である。ROMには、制御部１１が実行するプログラムや関連するデータが記憶されており、記憶されたプログラムや関連するデータは、制御部１１により、必要に応じてRAM上へ展開（ロード）され、展開（ロード）されたプログラムや関連するデータは、制御部１１により、演算・加工される。
【００７２】
補助記憶部（HD：Hard Disk）１３は、基本ソフトウェアであるOS（Operating System）やアプリケーションソフトウェアなどを関連するデータとともに記憶する装置である。また、補助記憶部１３には、本実施形態に係る更新情報出力装置１００が管理する各種情報（例えば、収集する更新情報の情報格納先を示す収集対象情報など。）が格納され、データベース（DB：database）やファイルシステム（FS：File System）などにより管理される。
【００７３】
ネットワークI/F１４は、有線及び／又は無線回線などのデータ伝送路により構築されたLAN（Local Area Network）、WAN（Wide Area Network）などのネットワークを介して接続された通信機能を有する周辺機器（例えば、オンラインブックマークサービス、Webサイト、又は情報DBなどの各管理サーバや情報登録装置など。）と本実施形態に係る更新情報出力装置１００とのインタフェースである。
【００７４】
表示部（パネル表示）１５及び入力部（操作部）１６は、キースイッチ（ハードキーとGUI（Graphical User Interface）のソフトウェアキーを含む。）とタッチパネル機能を備えたLCD（Liquid Crystal Display：液晶表示装置）とから構成される操作パネルで、本実施形態に係る更新情報出力装置１００が有する機能を利用する際のユーザインタフェース（UI：User Interface）として機能する装置である。
【００７５】
印刷部（プロッタ部）１７は、CMYKからなる画像データを受け取ると、レーザービームを用いた電子写真プロセス（露光、潜像、現像及び転写のプロセス）を用いて、転写紙、すなわち画像形成媒体（例えば、印刷用紙など。）に受け取った画像データを出力（印刷）する装置である。
【００７６】
このように、本実施形態に係る更新情報出力装置１００は、主記憶部１２のROMや補助記憶部１３などの記憶装置に格納されたプログラム（例えば、更新情報出力装置１００の情報処理プログラムなど。）を、主記憶部１２のRAM上に展開（ロード）し、展開（ロード）したプログラムを制御部１１で実行し、各装置を制御することで、以降に説明する本実施形態に係る更新情報出力装置１００が有する機能を実現している。
【００７７】
＜＜情報登録装置＞＞
図２は、本発明の実施形態１に係る情報登録装置２００のハードウェア構成の一例を示す図である。
【００７８】
本実施形態に係る情報登録装置２００は、図２に示すように、スキャナ部（画像読み取り部）１８以外は、図１と同一のハードウェアによって構成された装置である。よって、以下に行う本実施形態に係る情報登録装置２００のハードウェア構成についての説明では、本実施形態に係る更新情報出力装置１００と異なるスキャナ部（画像読み取り部）１８についての説明を行い、同一のハードウェアについては説明を省略する。
【００７９】
図２に示すように、本実施形態に係る情報登録装置２００は、本実施形態に係る更新情報出力装置１００と同一の制御部１１、主記憶部１２、補助記憶部１３、ネットワークI/F１４、表示部１５、入力部１６、及び印刷部１７、及びスキャナ部２０の他、スキャナ部１８を有している。
【００８０】
スキャナ部（原稿読み取り部）１８は、CCD（Charge Coupled Devices）光電変換素子からなるラインセンサとA/Dコンバータとこれらを駆動する駆動回路を備え、原稿読み取り面（コンタクトガラス上）にセットされた印刷用紙などの画像形成媒体をスキャンすることでRGB各8ビットのデジタル画像データを生成（画像形成媒体から情報を読み取り電子化）する装置である。
【００８１】
このように、本実施形態に係る情報登録装置２００は、主記憶部１２や補助記憶部１３などの記憶装置に格納されたプログラム（例えば、情報登録装置２００の情報処理プログラムなど。）を実行し、各装置を制御することで、以降に説明する本実施形態に係る情報登録装置２００が有する機能を実現している。
【００８２】
＜情報処理システムのシステム構成及び機能構成について＞
次に、本実施形態に係る情報処理システム１のシステム構成について、図３を用いて説明する。
【００８３】
図３は、本発明の第１の実施形態に係る情報処理システム１のシステム構成の一例を示す図である。
【００８４】
図３に示すように、本実施形態に係る情報処理システム１は、ユーザがWebサイトや情報データベース（以下、「情報DB」と言う。）などの情報公開元から収集した更新情報を画像形成媒体に出力する更新情報出力装置１００、ユーザが必要な公開情報の情報格納先をオンラインブックマークサービスに登録する情報登録装置２００とが、有線及び／又は無線回線などのデータ伝送路により構築されたLANやWANなどのネットワーク９０を介して接続され構成される。
【００８５】
また、更新情報出力装置１００と情報登録装置２００は、ネットワーク９０を介して、Webサイトや情報DBといった公開情報を管理するサーバ３００１及び３００２（以下、「Webサイト３００１」、「情報DB３００２」と言う。）、オンラインブックマークサービスを提供するサーバ４００（以下、「オンラインブックマークサービス４００」と言う。）などに接続されている。
【００８６】
これによって、本実施形態に係る情報処理システム１は、更新情報出力装置１００によるWebサイト３００１や情報DB３００２などの情報公開元からの更新情報の収集や、情報登録装置２００によるオンラインブックマークサービス４００への情報登録などの各機能を、各装置間においてネットワーク９０を介したデータ通信を行うことにより実現している。
【００８７】
次に、本実施形態に係る情報処理システム１の機能構成について、システムの構成要素である更新情報出力装置１００及び情報登録装置２００の順に説明を行う。
【００８８】
＜＜更新情報出力装置の機能構成について＞＞
本実施形態に係る更新情報出力装置１００は、RSS配信サービスによりWebサイト３００１や情報DB３００２などの情報公開元から更新情報を収集し、収集した更新情報を画像形成媒体に出力する。
【００８９】
ここで言う「画像形成媒体」とは、媒体上に出力されたものが、「人が読むこと」ができ、「人が加筆すること」ができ、更に「加筆したものを画像読み取り装置などで読み取ること」のできる媒体を示している。よって、本実施形態では、例えば、紙、電子ペーパー、リライタブルペーパーなどを、更新情報を出力する媒体として利用することができる。以降の本実施形態における説明では、画像形成媒体として「紙」を利用した場合について説明する。
【００９０】
本実施形態に係る更新情報出力装置１００は、主な機能部として、入力部１０１、表示部１０２、更新情報出力部１０３、更新情報収集部１０４、更新情報収集条件管理部１０５、更新情報収集条件記憶部１０６、及び通信部１０７とから構成される。
【００９１】
入力部１０１及び表示部１０２は、ユーザからの本実施形態に係るシステムが有する機能の実行指示（例えば、更新情報収集の実行を指示するなど。）の受け付けや、ユーザに対して本実施形態に係るシステムから機能実行の指示要求（例えば、更新情報を収集する条件の設定を要求するなど。）などを行うユーザインタフェースである。人力部１０１及び表示部１０２は、図１に示した表示部（パネル表示）１５及び入力部（操作部）１６によって行う機能である。
【００９２】
更新情報出力部１０３は、公開情報の情報格納先をオンラインブックマークサービス４００に登録したときの公開情報の情報公開元が登録履歴として記録された登録履歴情報であるブックマーク履歴情報を基に、紙面上での出力する更新情報の並び順を変更した出力レイアウトで出力データを生成し（生成手段）、生成された出力データ（ラスタイメージ）を紙に出力する。また、更新情報出力部１０３は、更新情報を紙に出力する際、更新情報を識別する識別コード（例えば、バーコードや２次元コードなど。）や本実施形態に係るシステムへの情報登録処理を指示するマーキング領域などを、出力する更新情報に付加する。更新情報出力部１０３は、出力データの生成を図１に示した制御部１１によって行い、また、紙への出力を図１に示した印刷部（プロッタ部）１７によって行う機能である。
【００９３】
更新情報収集部１０４は、指定された更新情報の情報格納先を示すRSS配信URL（Uniform Resource Locator）に、通信部１０７を介してアクセスし、Webサイト３００１や情報DB３００２から更新情報を収集する（収集手段）。RSS配信URLは、入力部１０１からユーザによって直接指定しても良いし、予め登録しておいたRSS配信URLを基に指定しても良い。また、RSS配信URLは複数あっても良い。更新情報収集部１０４は、図１に示した制御部１１によって行う機能である。
【００９４】
更新情報収集条件管理部１０５は、更新情報収集部１０４によってWebサイト３００１や情報DB３００２から収集する対象となる更新情報の情報格納先を示す収集対象情報、すなわち、Webサイト３００１や情報DB３００２が公開する情報のRSS配信URLなどの情報を更新情報収集条件として管理する。収集対象情報は、入力部１０１からユーザによって編集（新規登録や変更）することができる。更新情報収集条件管理部１０５は、図１に示した制御部１１によって行う機能である。
【００９５】
更新情報収集条件記憶部１０６は、更新情報収集条件である収集対象情報を記憶する。更新情報収集条件記憶部１０６は、図１に示した補助記憶部１３によって行う機能である。
【００９６】
通信部１０７は、更新情報収集部１０４によるWebサイト３００１や情報DB３００２からの更新情報の収集や、更新情報出力部１０３の更新情報を紙に出力する際に用いる、登録履歴情報であるブックマーク履歴情報を情報登録装置２００から取得／参照するなど、ネットワーク９０を介して接続される周辺装置とのデータ通信を行う機能である。通信部１０７は、図１に示したネットワークI/F１４によって行う機能である。
【００９７】
このように、本実施形態に係る更新情報出力装置１００は、上記の機能部によって、「登録履歴情報であるブックマーク履歴情報４２aを基に、紙面上での出力する更新情報の並び順を変更した、本実施形態に係るシステムへの処理を指示するためのマーキング領域を含む出力レイアウトで出力データを生成し、生成された出力データを紙に出力する」という機能を実現している。
【００９８】
＜＜情報登録装置の機能構成について＞＞
本実施形態に係る情報登録装置２００は、更新情報出力装置１００により紙面上に一覧となって出力された複数の更新情報の中から、更新情報毎に付加されたマーキング領域をユーザがマーキングすることによって情報を選択した後に、マーキングされた紙を画像として読み取り、読み取った画像を解析することで登録対象となる公開情報の情報格納先を抽出し、抽出した公開情報の情報格納先をオンラインブックマークサービス４００に登録する。
【００９９】
本実施形態に係る情報登録装置２００は、主な機能部として、入力部２０１、表示部２０２、画像読み取り部２０３、登録対象情報抽出部２０４、情報登録部２０５、履歴管理部２０６、履歴記憶部２０７、通信部２０８、及びユーザ情報管理部２０９とから構成される。
【０１００】
入力部２０１及び表示部２０２は、ユーザからの本実施形態に係るシステムが有する機能の実行指示（例えば、情報登録の実行を指示するなど。）の受け付けや、ユーザに対して本実施形態に係るシステムから機能実行の指示要求（例えば、登録するオンラインブックマークサービス４００を指定する設定を要求するなど。）などを行うユーザインタフェースである。人力部２０１及び表示部２０２は、図２に示した表示部（パネル表示）１５及び入力部（操作部）１６によって行う機能である。
【０１０１】
画像読み取り部２０３は、更新情報出力装置１００により紙面上に一覧となって出力された複数の更新情報の中から、ユーザが、更新情報毎に付加されたマーキング領域をマーキングした紙を、画像情報として読み取る。画像読み取り部２０３は、図２に示したスキャナ部（画像読み取り部）１８によって行う機能である。
【０１０２】
登録対象情報抽出部２０４は、画像読み取り部２０３により読み取られた画像を解析することで、更新情報を識別する識別コード（例えば、バーコードや２次元コードなど。）や、ユーザによってマーキングされ、本実施形態に係るシステムへの情報登録処理を指示する情報（マーク）などを抽出し、抽出された識別コード（例えば、バーコードや２次元コードなど。）を基に、情報登録処理を指示された更新情報の識別コード（例えば、バーコードや２次元コードなど。）をデコードし、登録対象となる公開情報の情報格納先を抽出する（抽出手段）。登録対象情報抽出部２０４は、図２に示した制御部１１によって行う機能である。
【０１０３】
情報登録部２０５は、登録対象情報抽出部２０４により抽出された、本実施形態に係るシステムへの情報登録処理を指示する情報（マーク）に従って、登録対象となる公開情報の情報格納先をオンラインブックマークサービス４００に登録する。本実施形態では、オンラインブックマークサービス４００として、「del.icio.us（http://del.icio.us/）」や「はてなブックマーク（http://b.hatena.ne.jp/）」といった、情報登録方法が公開された外部のサービスを利用している。
【０１０４】
履歴管理部２０６は、情報登録部２０５により公開情報の情報格納先をオンラインブックマークサービス４００に登録するときの公開情報の情報公開元を登録履歴として記録（更新）する（登録履歴情報記録手段）ことで、登録履歴情報であるブックマーク履歴情報を管理する。また、履歴管理部２０６は、更新情報出力装置１００からのデータ参照要求の指示に従って、登録履歴情報であるブックマーク履歴情報のデータ操作を行う。履歴管理部２０６は、図２に示した制御部１１によって行う機能である。
【０１０５】
履歴記憶部２０７は、登録履歴情報であるブックマーク履歴情報を記憶する。履歴記憶部２０７は、図２に示した補助記憶部１３によって行う機能である。
【０１０６】
通信部２０８は、情報登録部２０５によるオンラインブックマークサービス４００への公開情報の情報格納先の登録や、更新情報出力装置１００からの登録履歴情報であるブックマーク履歴情報のデータ操作など、ネットワーク９０を介して接続される周辺装置とのデータ通信を行う機能である。通信部２０８は、図２に示したネットワークI/F１４によって行う機能である。
【０１０７】
ユーザ情報管理部２０９は、本実施形態に係る情報処理システムを利用するユーザに関する情報（例えば、ユーザを識別するユーザ名とパスワードなど。）を、図２に示した補助記憶部１３に格納して管理する。ユーザ情報管理部２０９は、図２に示した制御部１１によって行う機能である。
【０１０８】
このように、本実施形態に係る情報登録装置２００は、上記の機能部によって、「ユーザによって紙面上でマーキングされ、オンラインブックマークサービス４００に登録する対象として選択された情報や本実施形態に係るシステムへの情報登録処理を指示する情報を抽出し、情報登録処理を指示する情報に従って、登録対象情報（登録対象である公開情報の情報格納先）をオンラインブックマークサービス４００に登録する」という機能を実現している。
【０１０９】
本実施形態に係る情報処理システム１は、上記に説明した更新情報出力装置１００及び情報登録装置２００が有する各機能部を、以下の手順に従って実行する。
【０１１０】
（手順１）更新情報の収集
本実施形態に係る情報処理システム１は、更新情報出力装置１００が有する更新情報収集部１０４において、RSS配信サービスによりWebサイト３００１や情報DB３００２などの情報公開元から更新情報を収集する（収集手段）。
【０１１１】
（手順２）更新情報の出力
本実施形態に係る情報処理システム１は、更新情報出力装置１００が有する更新情報出力部１０３において、情報登録装置２００の履歴管理部２０６が管理する登録履歴情報であるブックマーク履歴情報を基に、紙面上での出力する更新情報の並び順を変更した、本実施形態に係るシステムへの情報登録処理を指示するマーキング領域を含む出力レイアウトで出力データを生成し（生成手段）、生成された出力データを紙に出力する。これによって、ユーザは、更新情報出力装置１００により紙面上に一覧となって出力された複数の更新情報の中から、更新情報毎に付加されたマーキング領域をマーキングすることで、登録対象となる公開情報を選択することができる。
【０１１２】
（手順３）画像の読み取り
本実施形態に係る情報処理システム１は、情報登録装置２００が有する画像読み取り部２０３において、ユーザによってマーキングされた紙を画像として読み取る。
【０１１３】
（手順４）登録対象情報の抽出
本実施形態に係る情報処理システム１は、情報登録装置２００が有する登録対象情報抽出部２０４において、読み取られた画像を解析することで、識別コード（例えば、バーコードや２次元コードなど。）と本実施形態に係るシステムへの情報登録処理を指示する情報（マーク）とを基に、情報登録処理を指示された更新情報の識別コード（例えば、バーコードや２次元コードなど。）をデコードし、登録対象となる公開情報の情報格納先を抽出する（抽出手段）。
【０１１４】
（手順５）登録対象情報の登録
本実施形態に係る情報処理システム１は、情報登録装置２００が有する情報登録部２０５において、抽出された登録対象である公開情報の情報格納先をオンラインブックマークサービス４００に登録する。
【０１１５】
このように、本実施形態に係る情報処理システム１は、上記に説明した（手順１）〜（手順５）により、「ユーザが、収集した情報の中から必要な情報を簡便にオンラインブックマークサービス４００へ登録できる」システムを実現している。
【０１１６】
次に、これまで説明を行ってきた本実施形態に係る情報処理システム１の具体的な処理手順について以下に説明する。
【０１１７】
＜更新情報出力装置の基本処理手順について＞
本実施形態に係る更新情報出力装置１００は、主に、更新情報収集部１０４及び更新情報出力部１０３の処理手順によって機能を実現している。
【０１１８】
更新情報収集部１０４は、RSS配信サービスから配信される情報（以下、「RSS配信情報」と言う。）を取得することでWebサイト３００１や情報DB３００２などの情報公開元から更新情報を収集する。RSS配信では、更新情報をRSSあるいはAtom（Webサイト３００１や情報DB３００２で公開されている情報の見出しや要約などのメタデータを構造化して記述するXML（Extensible Markup Language）ベースのフォーマット）といった決められたXML形式の情報として配信するもので、決められたRSS配信URLにアクセスすることで取得することができる。
【０１１９】
図４及び図５は、本発明の第１の実施形態に係る更新情報出力装置１００における表示部１０２に表示された表示画面２０及び３０（その１及びその２）の一例を示す図である。また、図６は、本発明の第１の実施形態に係る更新情報出力装置１００における収集対象情報リスト４１のデータ構造の一例を示す図である。
【０１２０】
本実施形態に係る更新情報出力装置１００は、Webサイト３００１や情報DB３００２などの情報公開元から更新情報を収集するために必要な収集する更新情報の情報格納先を示すRSS配信URLのリスト、すなわち、更新情報収集条件である収集対象情報リスト４１を生成する。
【０１２１】
本実施形態では、更新情報収集条件記憶部１０６において説明を行ったように、予め図６に示すような更新情報収集条件である収集対象情報リスト４１が、補助記憶部１３に記憶されている。図６では、Webサイト３００１や情報DB３００２などの情報公開元（情報発信元）の名前である「ソース名」（例えば、図中の「AAA News Site」など文字列データ。）と、更新情報の情報格納先、すなわち更新情報の配信元を示す「RSS配信URL」（例えば、図中の「http://www.aaa.com/info/rss.rdf」などの文字列データ。）とから構成される収集対象情報４１aをリスト化した収集対象情報リスト４１の例を示している。
【０１２２】
更新情報出力装置１００は、表示部１０２において図４に示すような表示画面２０を表示する。表示部１０２は、タッチパネル機能を有しており、本実施形態に係るシステムが有するユーザインタフェースである。
【０１２３】
表示画面２０の［登録サイトの更新情報をすべて出力］ボタン２０aが、表示部１０２を介してユーザから選択された場合は、更新情報収集条件管理部１０５を介して更新情報収集条件記憶部１０６から、記憶されている全ての更新情報収集条件である収集対象情報４１aを収集し、主記憶部１２のRAM上に収集対象情報リスト４１を生成する。
【０１２４】
また、表示画面２０の［RSS配信URLを指定］ボタン２０bが、表示部１０２を介してユーザから選択された場合は、図５に示すような表示画面３０（更新情報収集条件指定ダイアログ）を表示する。
【０１２５】
ユーザによって、表示画面３０の「RSS配信URL追加」のテキストボックス３０aにURL（格納先）が入力され、その右側にある［出力］ボタン３０bが選択された場合は、「RSS配信URL追加」のテキストボックス３０aに入力されたURLをRSS配信URLとした更新情報収集条件である収集対象情報４１aを生成し、生成した収集対象情報４１aを要素とする収集対象情報リス４１を生成する。
【０１２６】
また、ユーザによって、［追加］ボタン３０bが選択された場合は、「RSS配信URL追加」のテキストボックス３０aに入力されたURL（格納先）をRSS配信URLとした更新情報収集条件である収集対象情報４１aを生成し、更新情報収集条件管理部１０５を通じて更新情報収集条件記憶部１０６に記憶された収集対象情報リスト４１に追加する（新規登録する）。
【０１２７】
また、ユーザによって、表示画面３０の「登録RSS配信URLリスト」３０cに表示されている収集対象情報４１aが1つ以上選択され、その下側にある［出力］ボタン３０dを選択された場合は、更新情報収集条件記憶部１０６から、選択された全ての収集対象情報４１aを収集し、主記憶部１２のRAM上に収集対象情報リスト４１を生成する。
【０１２８】
図７は、本発明の第１の実施形態に係る更新情報出力装置１００における更新情報収集処理手順の一例を示すフローチャートである。
【０１２９】
次に、収集対象情報リスト４１（更新情報収集条件リスト）の各収集対象情報４１a（各更新情報収集条件）を基に、更新情報の収集を行う更新情報収集処理手順について説明する。
【０１３０】
本実施形態に係る更新情報出力装置１００は、更新情報収集部１０４により、更新情報収集条件記憶部１０６に記憶された収集対象情報４１aを基に、主記憶部１２のRAM上に生成された収集対象情報リスト４１（更新情報収集条件リスト）を取得する（Ｓ１０１）。
【０１３１】
次に、更新情報出力装置１００は、更新情報収集部１０４により、収集対象情報リスト４１（更新情報収集条件リスト）から更新情報収集条件である収集対象情報４１aを1つ読み込む。
【０１３２】
更新情報出力装置１００は、更新情報収集部１０４により、更新情報収集条件である収集対象情報４１a（RSS配信URL）を基に、通信部１０７を介してWebサイト３００１や情報DB３００２へ更新情報の取得を要求し、更新情報を収集する。このとき、本実施形態では、通信プロトコルにHTTP（HyperText Transfer Protocol）を利用する。
【０１３３】
図８は、本発明の第１の実施形態に係るRSS配信情報５０のデータ構造の一例を示す図である。また、図９は、本発明の第１の実施形態に係る更新情報リスト７１のデータ構造の一例を示す図である。
【０１３４】
図８では、Webサイト３００１や情報DB３００２などの情報公開元（情報発信元）に関する情報５０aと、その情報公開元（情報発信元）が公開する情報の更新に関する情報５０bとが含まれるRSS配信情報５０の例を示している。また、図９では、Webサイト３００１や情報DB３００２などの情報公開元（情報発信元）の名前である「ソース名」（例えば、図中の「AAA News Site」など文字列データ。）と、更新情報の情報格納先、すなわち更新情報の配信元を示す「RSS配信URL」（例えば、図中の「http://www.aaa.com/info/rss.rdf」などの文字列データ。）と、更新された公開情報の見出しを示す「タイトル」（例えば、図中の「Ａ社が最新機種を発表」などの文字列データ。）と、更新された公開情報の情報格納先を示す「公開情報URL」（例えば、図中の「http://www.aaa.com/n1.html」などの文字列データ。）と、更新された公開情報の本文を示す「本文」（例えば、図中の「9月25日Ａ社は最新機種となるモデルXXXを発表した…」などの文字列データ。）とから構成される更新情報７１aをリスト化した更新情報リスト７１の例を示している。
【０１３５】
図７に戻り、更新情報出力装置１００は、更新情報収集部１０４により、取得されたRSS配信情報５０（図８に示すRDFデータ）を解析し、図９に示すような更新情報リスト７１（「ソース名」、「RSS配信URL」、「タイトル」、「公開情報URL」、及び「本文」の各項目）を、主記憶部１２のRAM上に生成する（Ｓ１０３）。
【０１３６】
図８のRSS配信情報５０を解析した場合を例にして説明すると、生成される更新情報リスト７１の「ソース名」は、"<channel>"要素内の"<title>"要素である"AAA News Site"、「RSS配信URL」は、"<channel>"要素の"rdf:about"属性である"http://www.aaa.com/info/rss.rdf"、「タイトル」は、"<item>"要素内の"<title>"要素である"Ａ社が最新機種を発表"、「公開情報URL」は、"<item>"要素の"rdf:about"属性である"http://www.aaa.com/n1.html"、「本文」は、"<item>"要素内の"<description>"要素である"9月25日Ａ社は最新機種となるモデルXXXを発表した…"となる。
【０１３７】
図７に戻り、更新情報出力装置１００は、更新情報収集部１０４により、収集対象情報リスト４１（更新情報収集条件リスト）に未処理の更新情報収集条件である収集対象情報４１aがある場合（Ｓ１０２がNOの場合）、未処理の収集対象情報４１aを読み込み、リストに含まれる収集対象情報４１aが全て処理済みとなるまで処理手順を繰り返す。
【０１３８】
また、収集対象情報リスト４１（更新情報収集条件リスト）に未処理の収集対象情報４１aがない場合（Ｓ１０２がYESの場合）処理を終了する。
【０１３９】
図１０は、本発明の第１の実施形態に係る更新情報出力装置１００における更新情報出力処理手順の一例を示すフローチャートである。
【０１４０】
次に、更新情報リスト７１を基に更新情報７１aを紙に出力する更新情報出力処理手順について以下に説明する。
【０１４１】
本実施形態に係る更新情報出力装置１００は、更新情報出力部１０３により、取得されたRSS配信情報５０を解析し、主記憶部１２のRAM上に生成された更新情報リスト７１を取得する（Ｓ２０１）。
【０１４２】
更新情報出力装置１００は、更新情報出力部１０３により、情報登録装置２００の履歴管理部２０６が管理する、公開情報の情報格納先をオンラインブックマークサービス４００に登録したときの公開情報の情報公開元が登録履歴として記録された登録履歴情報であるブックマーク履歴情報を基に、更新情報リスト７１を構成する更新情報７１aをソートする（並び替える）（Ｓ２０２）。
【０１４３】
更新情報７１aのソート（並び替え）についての詳細な処理手順を、図１１〜１４を用いて以下に説明する。
【０１４４】
図１１は、本発明の第１の実施形態に係るブックマーク履歴情報リスト４２のデータ構造の一例を示す図である。また、図１２は、本発明の第１の実施形態に係るユーザ情報リスト４３のデータ構造の一例を示す図である。
【０１４５】
図１１では、Webサイト３００１や情報DB３００２などの情報公開元（情報発信元）の名前である「ソース名」（例えば、図中の「AAA News Site」など文字列データ。）と、更新情報７０aの情報格納先、すなわち更新情報７０aの配信元を示す「RSS配信URL」（例えば、図中の「http://www.aaa.com/info/rss.rdf」などの文字列データ。）と、公開情報の情報格納先をブックマーク情報として登録した日時を示す「ブックマーク日時」（例えば、図中の「2006/11/14 13:27:22」などの文字列データ。）と、公開情報の情報格納先をブックマーク情報として登録したユーザを示す「ブックマークユーザ」（例えば、図中の「user1」などの文字列データ。）とから構成されるブックマーク履歴情報４２aをリスト化したブックマーク履歴情報リスト４２の例が示されている。また、図１２では、ユーザを識別するための「ユーザ名」と、ユーザ認証（本人確認）用の「パスワード」とから構成されるユーザ情報４３aをリスト化したユーザ情報リスト４３の例が示されている。
【０１４６】
図１３は、本発明の第１の実施形態に係る更新情報出力装置１００における更新情報ソート（並び替え）処理手順の一例を示すフローチャートである。
【０１４７】
更新情報出力装置１００は、更新情報出力部１０３により、情報登録装置２００の履歴管理部２０６が管理する、図１１に示すようなブックマーク履歴情報リスト４２を、ネットワーク９０を介して参照し、公開情報の情報公開元の登録回数（ブックマーク回数）を算出（集計）する（Ｓ２０２１）。
【０１４８】
例えば、本実施形態に係る情報処理システム１を利用しているユーザを、システムへのログイン時に入力されたユーザ情報４２aを基に、図１２に示したユーザ情報リスト４３から特定し、特定されたユーザの「ユーザ名」を基にブックマーク履歴情報リスト４２の「ブックマークユーザ」を参照し、特定ユーザにおける公開情報の情報公開元の登録回数（ブックマーク回数）を算出（集計）する。また、ユーザを特定せず、ブックマーク履歴情報４２全てから公開情報の情報公開元の登録回数（ブックマーク回数）を算出（集計）しても良い。
【０１４９】
更新情報出力装置１００は、更新情報出力部１０３により、算出（集計）された登録回数（ブックマーク回数）を基に、更新情報リスト７１を構成する更新情報７１aを、登録回数（ブックマーク回数）が多い順、すなわち登録頻度の高い順に並び替える（Ｓ２０２２）。
【０１５０】
図１０に戻り、更新情報出力装置１００は、更新情報出力部１０３により、ソートされた更新情報リスト７１から更新情報７１aを1つ読み込む。
【０１５１】
更新情報出力装置１００は、更新情報出力部１０３により、更新情報７１aの「タイトル」（例えば、図８では、"Ａ社が最新機種を発表"などの文字列データ。）と「公開情報URL」（例えば、図８では、"http://www.aaa.com/n1.html"などの文字列データ。）とを基に、更新情報７１aの識別コード（例えば、バーコードや2次元コードなど。）を生成する。本実施形態では、更新情報７１aの「タイトル」と「公開情報URL」の文字列データからQR（Quick Response）コードを生成する（Ｓ２０４）。
【０１５２】
更新情報出力装置１００は、更新情報出力部１０３により、更新情報７１aと更新情報７１aを識別する識別コード（QRコード）に加えて、本実施形態に係るシステムへの情報登録処理を指示するマーキング領域などを含む出力レイアウトで出力データ（ラスタイメージ）を生成する（Ｓ２０５）。
【０１５３】
更新情報出力装置１００は、更新情報出力部１０３により、更新情報リスト７１に未処理の更新情報７１aがある場合（Ｓ２０３がNOの場合）、未処理の更新情報７１aを読み込み、リストに含まれる更新情報７１aが全て処理済みとなるまで処理手順を繰り返す。
【０１５４】
また、更新情報リスト７１に未処理の更新情報７１aがない場合（Ｓ２０３がYESの場合）、更新情報出力装置１００は、更新情報出力部１０３により、生成された出力データ（ラスタイメージ）を紙に出力する（Ｓ２０６）。
【０１５５】
図１４及び１５は、本発明の第１の実施形態に係る更新情報出力装置１００における更新情報出力部１０３により出力された紙の印刷結果８０（その１及びその２）の一例を示す図である。
【０１５６】
本実施形態に係る更新情報出力装置１００によって出力された更新情報リスト７１は、図１４及び図１５に示すような印刷結果８０で紙に出力される。
【０１５７】
図１４の印刷結果８０の例では、主に、更新情報７１aを出力する領域８０aと、更新情報７１aの「タイトル」と「公開情報URL」から生成された識別コード（QRコード）を出力する領域８０bと、更新情報７１aが対応する公開情報の情報格納先の登録を指示するマーキング領域を出力する領域８０cとから構成される出力レイアウトが、登録履歴情報であるブックマーク履歴情報４２aを基に配置され、紙に印刷された例が示されている。
【０１５８】
また、更新情報７１aを出力する領域８０aには、Webサイト３００１や情報DB３００２などの情報公開元（情報発信元）の名前である「ソース名」、更新された公開情報の見出しを示す「タイトル」、更新された公開情報の本文を示す「本文」の情報が出力される。更に、閲覧性を考慮して、更新情報７１aを出力する領域８０aは、他の情報と区別するための枠に囲まれている。
【０１５９】
図１５の印刷結果８０の例では、紙面上になるべく多くの更新情報７１aを出力するため、更新情報７１aを２段組の出力レイアウトで出力した例を示している。
【０１６０】
図１６は、本発明の第１の実施形態に係るユーザによってマーキングされた紙面の一例を示す図である。
【０１６１】
図１６に示すように、ユーザは、本実施形態に係る更新情報出力装置１００によって出力された紙面上の情報登録を指示するマーキング領域８０cを、ペンなどを用いてマーキング（図中のMC1及びMC2。）することにより、オンラインブックマークサービス４００に登録する公開情報が更新されたときの情報である更新情報７１aを選択することができる。
【０１６２】
図１６では、紙面上のマーキング領域８０cが「レ」（チェックMC1）や「■」（塗りつぶしMC2）などでマーキングされた例が示されている。
【０１６３】
このように、本実施形態に係る更新情報出力装置１００は、登録履歴情報であるブックマーク履歴情報４２aを基に、紙面上での出力する更新情報７１aの並び順を変更することにより、ユーザが過去に登録した情報の登録回数の頻度に応じて、ユーザによる登録頻度の高い情報、すなわちユーザにとって必要性のある情報が出力順序の上位となるような出力レイアウトで出力データを生成し、生成された出力データを紙に出力する。よって、更新情報出力装置１００は、必要な情報が選択しやすいユーザインタフェースを、ユーザに提供することができる。
【０１６４】
＜情報登録装置の基本処理手順について＞
本実施形態に係る情報登録装置２００は、主に、画像読み取り部２０３、登録対象情報抽出部２０４、及び情報登録部２０５の処理手順によって機能を実現している。
【０１６５】
図１７は、本発明の第１の実施形態に係る情報登録装置２００における表示部２０２に表示された表示画面６０の一例を示す図である。また、図１８は、本発明の第１の実施形態に係る情報登録装置２００における情報登録処理手順の一例を示すフローチャートである。
【０１６６】
本実施形態に係る情報登録装置２００は、表示部２０２において図１７に示すような表示画面６０を表示し、ユーザからの指示を待つ（Ｓ３０１）。表示部２０２は、タッチパネル機能を有しており、本実施形態に係るシステムが有するユーザインタフェースである。
【０１６７】
情報登録装置２００は、ユーザによって、表示画面６０の［マークした情報を登録］ボタン６０aが選択された場合（Ｓ３０２がYESの場合）、画像読み取り処理手順が開始され、紙から読み取った画像データを、主記憶部１２のRAM上を介して登録対象情報抽出部２０４に渡す（Ｓ３０３）。
【０１６８】
主記憶部１２のRAM上を介して画像データが渡された登録対象情報抽出部２０４では、画像読み取り部２０３により読み取られた画像データを解析し、ユーザによってマーキングされた更新情報７１aが対応する登録対象となる公開情報の情報格納先（以下、「登録対象情報」と言う。）を抽出する（Ｓ３０４）。
【０１６９】
登録対象情報の抽出についての詳細な処理手順を、図１９及び図２０を用いて以下に説明する。
【０１７０】
図１９は、本発明の第１の実施形態に係る情報登録装置２００における登録対象情報抽出処理手順の一例を示すフローチャートである。また、図２０は、本発明の第１の実施形態に係る更新情報領域位置情報リスト４４のデータ構造の一例を示す図である。
【０１７１】
本実施形態に係る情報登録装置２００は、登録対象情報抽出部２０４により、受け取った画像データを解析し、更新情報７１aを囲う枠（例えば、図１４に示す更新情報７１aを出力する領域８０aを囲う矩形枠など。）の領域認識を行うことで、更新情報７１aの領域８０aの抽出を行う（Ｓ３０４１）。領域認識では、抽出された更新情報７１aの領域８０aを識別する識別コード「更新情報領域ID」と、出力レイアウトを基にした紙面上の２次元空間における更新情報７１aの領域８０aの座標位置を示す「座標位置（左上及び右下の対角座標）」とから構成される更新情報領域位置情報４４aをリスト化した、図２０に示すような更新情報領域位置情報リスト４４を、主記憶部１２のRAM上に生成する。
【０１７２】
情報登録装置２００は、登録対象情報抽出部２０４により、生成された更新情報領域位置情報リスト４４に未処理の領域がある場合（Ｓ３０４２がYESの場合）、更新情報領域IDを基に、該当する未処理の更新情報７１aの領域８０aの画像を１つ読み込む。
【０１７３】
情報登録装置２００は、登録対象情報抽出部２０４により、読み込んだ更新情報７１aの領域８０aの画像に対して、領域内に含まれる情報登録を指示するマーキング領域８０cの抽出を行う（Ｓ３０４３）。このとき、情報登録を指示するマーキング領域８０cの抽出を行い、マーキング領域８０cがマーキングされているか否かの認識を行う。本実施形態では、マーキング領域８０cに何らかの書き込み（例えば、図１６に示した「レ（チェックMC1）」や「■（塗りつぶしMC2）」など。）があればマーキングされたものとして判断する。
【０１７４】
情報登録装置２００は、登録対象情報抽出部２０４により、抽出された情報登録を指示するマーキング領域８０cがマーキングされていない（書き込みがない）と判断した場合（Ｓ３０４４がNOの場合）、Ｓ３０４２の処理手順に戻る。
【０１７５】
また、抽出された情報登録を指示するマーキング領域８０cがマーキングされている（書き込みがある）と判断した場合（Ｓ３０４４がYESの場合）、領域内の更新情報７１aを識別する識別コード（QRコード）の領域８０bを抽出し、抽出された識別コード（QRコード）のデコードを行い、登録対象情報を抽出する（Ｓ３０４５）。このとき、抽出された情報を基に、主記憶部１２のRAM上に登録対象情報リストを生成する。
【０１７６】
図２１は、本発明の第１の実施形態に係る登録対象情報リスト７２のデータ構造の一例を示す図である。
【０１７７】
図２１では、識別コード（QRコード）から抽出された更新情報７１aの「タイトル」及び「公開情報URL」から構成される登録対象情報７２aをリスト化した登録対象情報リスト７２の例が示されている。
【０１７８】
図１９に戻り、情報登録装置２００は、登録対象情報抽出部２０４により、抽出された登録対象情報７２aを基に、登録対象情報リスト７２を更新し、Ｓ３０４２の処理手順に戻る。
【０１７９】
情報登録装置２００は、登録対象情報抽出部２０４により、主記憶部１２のRAM上に生成された更新情報領域位置情報リスト４４に未処理の領域がない場合（Ｓ３０４２がNOの場合）、生成した登録対象情報リスト７２を、主記憶部１２のRAM上を介して情報登録部２０５に渡し、処理を終了する。
【０１８０】
情報登録装置２００は、情報登録部２０５により、主記憶部１２のRAM上を介して受け取った登録対象情報リスト７２を基に、登録対象情報７２aである公開情報の情報格納先をオンラインブックマークサービス４００に登録する（Ｓ３０５）。
【０１８１】
本実施形態では、登録するオンラインブックマークサービス４００として、ネットワーク９０を介してブックマーク登録できるAPI（Application Program Interface）を公開している（情報登録方法を公開している）外部のサービスを利用する。例えば、「del.icio.us」というオンラインブックマークサービス４００を利用して情報を登録する場合は、「https://api.del.icio.us/v1/posts/add?url=URL&description=DESCRIPTION」という形式のURLにアクセスすることでブックマークとして情報を登録することができる。このとき、URL内の「URL」には、登録対象情報の情報格納先を示すURLを指定し、「DESCRIPTION」には、登録対象情報に関するコメントを指定する。
【０１８２】
登録対象情報の登録についての詳細な処理手順を、図２２を用いて以下に説明する。
【０１８３】
図２２は、本発明の第１の実施形態に係る情報登録装置２００における登録対象情報登録処理手順の一例を示すフローチャートである。
【０１８４】
本実施形態に係る情報登録装置２００は、情報登録部２０５により、主記憶部１２のRAM上を介して登録対象情報リスト７２を受け取り（Ｓ３０５１）、受け取った登録対象情報リスト７２に未処理の情報がある場合（Ｓ３０５２がYESの場合）、登録対象情報リスト７２から未処理の登録対象情報７２aを１つ読み込む。
【０１８５】
情報登録装置２００は、情報登録部２０５により、登録対象情報７２aからブックマーク登録用URLを生成し、生成されたURLをオンラインブックマークサービス４００に登録し（Ｓ３０５３）、Ｓ３０５２の処理手順に戻る。例えば、読み込んだ登録対象情報７２aが、図２１に示した「タイトル」"A社が最新機種を発表"及び「公開情報URL」"http://www.aaa.com/n1.html"で、「del.icio.us」というオンラインブックマークサービス４００へ情報を登録する場合、「https://api.del.icio.us/v1/posts/add?url=http://www.aaa.com/n1.html&description=A社が最新機種を発表」というブックマーク登録用URLを生成する。
【０１８６】
情報登録装置２００は、情報登録部２０５により、登録対象情報リスト７２に未処理の情報がない場合（Ｓ３０５２がNOの場合）、処理を終了する。
【０１８７】
このように、本実施形態に係る情報登録装置２００は、ユーザによって紙面上でマーキングされ、オンラインブックマークサービス４００に登録する対象として選択された情報や本実施形態に係るシステムへの情報登録処理を指示する情報とを抽出し、抽出された情報登録処理を指示する情報に従って、抽出された登録対象情報７２aをオンラインブックマークサービス４００に登録する。よって、ユーザが、収集した情報を簡便にオンラインブックマークサービスへ登録できる。
【０１８８】
＜まとめ＞
以上のように、本発明の第１の実施形態によれば、本実施形態に係る情報処理システム１は、更新情報出力装置１００及び情報登録装置２００が有する各機能部を、以下に手順に従って実行する。
【０１８９】
（手順１）更新情報の収集
本実施形態に係る情報処理システム１は、更新情報出力装置１００が有する更新情報収集部１０４において、RSS配信サービスによりWebサイト３００１や情報DB３００２などの情報公開元から更新情報７１aを収集する（収集手段）。
【０１９０】
（手順２）更新情報の出力
本実施形態に係る情報処理システム１は、更新情報出力装置１００が有する更新情報出力部１０３において、情報登録装置２００の履歴管理部２０６が管理する登録履歴情報であるブックマーク履歴情報４２aを基に、紙面上での出力する更新情報７１aの並び順を変更した、本実施形態に係るシステムへの情報登録処理を指示するマーキング領域８０cを含む出力レイアウトで出力データを生成し（生成手段）、生成された出力データを紙に出力する。これによって、ユーザは、更新情報出力装置１００により紙面上に一覧となって出力された複数の更新情報７１aの中から、更新情報毎に付加されたマーキング領域８０cをマーキングすることで、登録対象となる公開情報を選択することができる。
【０１９１】
（手順３）画像の読み取り
本実施形態に係る情報処理システム１は、情報登録装置２００が有する画像読み取り部２０３において、ユーザによってマーキングされた紙を画像として読み取る。
【０１９２】
（手順４）登録対象情報の抽出
本実施形態に係る情報処理システム１は、情報登録装置２００が有する登録対象情報抽出部２０４において、読み取られた画像を解析することで、識別コード（QRコード）と本実施形態に係るシステムへの情報登録処理を指示する情報（図１６に示すMC1又はMC2）とを基に、情報登録処理を指示された更新情報の識別コード（QRコード）をデコードし、登録対象情報７２aを抽出する（抽出手段）。
【０１９３】
（手順５）登録対象情報の登録
本実施形態に係る情報処理システム１は、情報登録装置２００が有する情報登録部２０５において、抽出された登録対象情報７２aをオンラインブックマークサービス４００に登録する。
【０１９４】
このように、本実施形態に係る情報処理システム１は、上記（手順１）〜（手順５）によって、公開情報の情報格納先をオンラインブックマークサービス４００に登録したときの公開情報の情報公開元が登録履歴として記録された登録履歴情報であるブックマーク履歴情報４２aを基に、紙面上での出力する更新情報７１aの並び順を変更した、本実施形態に係るシステムへの情報登録処理を指示するためのマーキング領域を含む出力レイアウトで出力データを生成し、生成された出力データを紙に出力するとともに、ユーザによって紙面上でマーキングされ、オンラインブックマークサービス４００に登録する対象として選択された情報や本実施形態に係るシステムへの情報登録処理を指示する情報とを抽出し、抽出された情報登録処理を指示する情報に従って、抽出された登録対象情報７２a（公開情報の情報格納先）をオンラインブックマークサービス４００に登録することができる。
【０１９５】
よって、本実施形態に係る情報処理システム１は、ユーザが、収集した情報の中から必要な情報を簡便にオンラインブックマークサービス４００に登録することができる。
【０１９６】
［第２の実施形態］
第１の実施形態では、登録対象である公開情報の情報格納先をオンラインブックマークサービスに登録する基本的な方法について説明を行った。
【０１９７】
本実施形態では、登録対象となる公開情報の情報公開元を、ユーザ毎のタスク（例えば、プロジェクト、イベント（会議）、Todoなど。）の情報（以下、「タスク情報」と言う。）と関連付けて登録することを特徴としている。
【０１９８】
このように、登録する公開情報の情報公開元とタスク情報とを関連付けることによって、本実施形態に係る情報処理システムは、タスクに有用な情報を効率よく管理し、ユーザが必要な情報としてオンラインブックマークサービスに登録した情報の中からタスクに関連する情報の検索・参照が可能となり、タスク遂行時に有用な情報へ簡便にアクセスできる。
【０１９９】
＜更新情報出力装置、情報登録装置、及び情報管理装置のハードウェア構成について＞
本実施形態に係る情報処理システムが有する機能を実現するために必要な更新情報出力装置及び情報登録装置のハードウェア構成については、第１の実施形態と同一であるため、説明を省略し、同一の図面及び符号を用いる。
【０２００】
また、情報管理装置については、制御部（CPU）、主記憶部（ROM,RAM）、補助記憶部（HD）、ネットワークI/F（NIC：Network Interface Card）、入力装置I/F、及び出力装置I/Fとから構成される一般的な情報処理装置（図示せず）である。
【０２０１】
＜情報処理システムのシステム構成及び機能構成について＞
次に、本実施形態に係る情報処理システム１のシステム構成について、図２３を用いて説明する。
【０２０２】
図２３は、本発明の第２の実施形態に係る情報処理システム１のシステム構成の一例を示す図である。
【０２０３】
図２３に示すように、本実施形態に係る情報処理システム１は、ユーザがWebサイト３００１や情報DB３００２などの情報公開元から収集した更新情報７１aを画像形成媒体に出力する更新情報出力装置１００、ユーザが必要な公開情報の情報格納先をオンラインブックマークサービスに登録する情報登録装置２００とが、有線及び／又は無線回線などのデータ伝送路により構築されたLANやWANなどのネットワーク９０を介して接続され構成される。
【０２０４】
また、更新情報出力装置１００と情報登録装置２００は、ネットワーク９０を介して、Webサイト３００１や情報DB３００２、オンラインブックマークサービス４００の他、タスクに関する情報を管理するタスク情報管理装置５００などに接続されている。
【０２０５】
これによって、本実施形態に係る情報処理システム１は、更新情報出力装置１００によるWebサイト３００１や情報DB３００２からの更新情報７１aの収集や、情報登録装置２００によるオンラインブックマークサービス４００へのタスクに関連付けた情報登録などの各機能を、各装置間においてネットワーク９０を介したデータ通信を行うことにより実現している。
【０２０６】
次に、本実施形態に係る情報処理システム１の機能構成について、システムの構成要素であった更新情報出力装置１００、情報登録装置２００、タスク情報管理装置５００の順に説明を行う。
【０２０７】
＜＜更新情報出力装置の機能構成について＞＞
本実施形態に係る更新情報出力装置１００は、RSS配信サービスによりWebサイト３００１や情報DB３００２などの情報公開元から更新情報７１aを収集し、収集した更新情報７１aを画像形成媒体に出力する。
【０２０８】
ここで言う「画像形成媒体」とは、媒体上に出力されたものが、「人が読むこと」ができ、「人が加筆すること」ができ、更に「加筆したものを画像読み取り装置などで読み取ること」のできる媒体を示している。よって、本実施形態では、例えば、紙、電子ペーパー、リライタブルペーパーなどを、更新情報を出力する媒体として利用することができる。以降の本実施形態における説明では、画像形成媒体として「紙」を利用した場合について説明する。
【０２０９】
本実施形態に係る更新情報出力装置１００は、主な機能部として、入力部１０１、表示部１０２、更新情報出力部１０３、更新情報収集部１０４、更新情報収集条件管理部１０５、更新情報収集条件記憶部１０６、及び通信部１０７とから構成される。
【０２１０】
本実施形態に係る更新情報出力装置１００の機能構成は、第１の実施形態とほぼ同じであるため、異なる点（更新情報出力部１０３）のみを以下に説明し、同じ点については、同一の図面及び符号を用いて説明を省略する。
【０２１１】
更新情報出力部１０３は、公開情報の情報格納先をオンラインブックマークサービス４００にタスクに関連付けて登録したときの公開情報の情報公開元が登録履歴として記録された登録履歴情報であるタスク関連付けブックマーク履歴情報を基に、紙面上での出力する更新情報７１aの並び順を変更した出力レイアウトで出力データを生成し（生成手段）、生成された出力データ（ラスタイメージ）を紙に出力する。また、更新情報出力部１０３は、更新情報７１aを紙に出力する際、更新情報７１aを識別する識別コード（例えば、バーコードや２次元コードなど。）や本実施形態に係るシステムへの情報登録処理を指示するマーキング領域などを、出力する更新情報７１aに付加する。このとき、更新情報７１aとタスクとの関連付けを指示するマーキング領域、及び関連付けの対象となるタスク情報を付加する。更新情報出力部１０３は、出力データの生成を図１に示した制御部１１によって行い、また、紙への出力を図１に示した印刷部（プロッタ部）１７によって行う機能である。
【０２１２】
図２４は、本発明の第２の実施形態に係るタスク情報リスト４５のデータ構造の一例を示す図である。
【０２１３】
図２４では、タスクを識別する「タスクID」と、タスクの種別を示す「タイプ」と、タスクの名前を示す「タイトル（タスク名）」と、タスクの開始日時及び終了日時を示す「開始日時」及び「終了日時」と、タスクを遂行する場所及び参加者（メンバー）を示す「場所」及び「メンバー」とから構成されるタスク情報４５aをリスト化し、情報登録装置２００の補助記憶部１３に記憶されたタスク情報リスト４５の例が示されている。
【０２１４】
更新情報出力部１０３では、更新情報７１aを紙に出力する際、例えば、図２４に示したタスク情報４５aのうち、タスクの名前を示す「タイトル（タスク名）」を、更新情報７１aに付加する。
【０２１５】
このように、本実施形態に係る更新情報出力装置１００は、「登録履歴情報であるタスク関連付けブックマーク履歴情報を基に、紙面上での出力する更新情報７１aの並び順を変更した、本実施形態に係るシステムへの情報登録処理を指示するためのマーキング領域８０及び関連付けるタスクを指示するためのマーキング領域を含む出力レイアウトで出力データを生成し、生成された出力データを紙に出力する」という機能を実現している。
【０２１６】
＜＜情報登録装置の機能構成について＞＞
本実施形態に係る情報登録装置２００は、更新情報出力装置１００により紙面上に一覧となって出力された複数の更新情報７１aの中から、更新情報毎に付加されたマーキング領域８０cをユーザがマーキングすることによって情報を選択した後に、マーキングされた紙を画像として読み取り、読み取った画像を解析することで登録対象となる公開情報の情報格納先を抽出し、抽出した公開情報の情報格納先をオンラインブックマークサービス４００に登録する。
【０２１７】
本実施形態に係る情報登録装置２００は、主な機能部として、入力部２０１、表示部２０２、画像読み取り部２０３、登録対象情報抽出部２０４、情報登録部２０５、履歴管理部２０６、履歴記憶部２０７、通信部２０８、及びユーザ情報管理部２０９とから構成される。
【０２１８】
本実施形態に係る情報登録装置２００の機能構成は、第１の実施形態とほぼ同じであるため、異なる点（登録対象情報抽出部２０４、情報登録部２０５、履歴管理部２０６、及び履歴記憶部２０７）のみを以下に説明し、同じ点については、同一の図面及び符号を用いて説明を省略する。
【０２１９】
登録対象情報抽出部２０４は、画像読み取り部２０３により読み取られた画像を解析することで、更新情報７１aを識別する識別コード（例えば、バーコードや２次元コードなど。）、ユーザによってマーキングされ、本実施形態に係るシステムへの情報登録処理を指示する情報（マーク）、及び関連付けるタスクを指示する情報（マークや数字）などを抽出し、抽出された識別コード（例えば、バーコードや２次元コードなど。）と、本実施形態に係るシステムへの情報登録処理を指示する情報（マーク）とを基に、情報登録処理を指示された更新情報７１aの識別コード（例えば、バーコードや２次元コードなど。）をデコードし、登録対象となる公開情報の情報格納先を抽出する（抽出手段）。登録対象情報抽出部２０４は、図２に示した制御部１１によって行う機能である。
【０２２０】
情報登録部２０５は、登録対象情報抽出部２０４により抽出された、本実施形態に係るシステムへの情報登録処理を指示する情報（マーク）に従って、抽出された登録対象情報７２aをオンラインブックマークサービス４００に登録する。このとき、情報登録部２０５は、登録対象情報抽出部２０４により抽出された関連付けるタスクを指示する情報（マークや数字）を基に、関連付けを指示されたタスク情報４５aを付加した登録対象情報７２aを登録する。情報登録部２０５は、図２に示した制御部１１によって行う機能である。
【０２２１】
履歴管理部２０６は、情報登録部２０５により登録対象情報７２aをオンラインブックマークサービス４００に、タスクに関連付けて登録するときの登録履歴を記録（更新）する（登録履歴情報記録手段）ことで、オンラインブックマークサービス４００に登録された登録対象情報７２aの履歴を示す登録履歴情報であるタスク関連付けブックマーク履歴情報を管理する。
【０２２２】
図２５は、本発明の第２の実施形態に係るタスク関連付けブックマーク履歴情報リスト４６のデータ構造の一例を示す図である。
【０２２３】
図２６では、Webサイト３００１や情報DB３００２などの情報公開元（情報発信元）の名前である「ソース名」（例えば、図中の「AAA News Site」など文字列データ。）と、更新情報７０aの情報格納先、すなわち更新情報７０aの配信元を示す「RSS配信URL」（例えば、図中の「http://www.aaa.com/info/rss.rdf」などの文字列データ。）と、公開情報の情報格納先をブックマーク情報として登録した日時を示す「ブックマーク日時」（例えば、図中の「2006/11/14 13:27:22」などの文字列データ。）と、公開情報の情報格納先をブックマーク情報として登録したユーザを示す「ブックマークユーザ」（例えば、図中の「user1」などの文字列データ。）と、関連付けられたタスクを識別する「関連タスクIDリスト」（例えば、図中の「task1,task4」などのカンマで区切られた文字列データ。）から構成されるタスク関連付けブックマーク履歴情報４６aをリスト化したタスク関連付けブックマーク履歴情報リスト４６の例が示されている。
【０２２４】
また、履歴管理部２０６は、更新情報出力装置１００からのデータ参照要求の指示に従って、登録履歴情報であるタスク関連付けブックマーク履歴情報４６aのデータ操作を行う。履歴管理部２０６は、図２に示した制御部１１によって行う機能である。
【０２２５】
履歴記憶部２０７は、登録履歴情報であるタスク関連付けブックマーク履歴情報４６aを記憶する。履歴記憶部２０７は、図２に示した補助記憶部１３によって行う機能である。
【０２２６】
このように、本実施形態に係る情報登録装置２００は、「ユーザによって紙面上でマーキングされ、オンラインブックマークサービス４００に登録する対象として選択された情報や本実施形態に係るシステムへの情報登録処理を指示する情報及び関連付けるタスクを指示する情報を抽出し、情報登録処理を指示する情報に従って、関連付けるタスクを指示する情報（マークや数字）を基にタスク情報４５aを付加した登録対象情報７２aをオンラインブックマークサービス４００に登録する」という機能を実現している。
【０２２７】
＜＜タスク情報管理装置の機能構成について＞＞
本実施形態に係るタスク情報管理装置５００は、図２４に示すようなタスク情報４５aを管理する。
【０２２８】
本実施形態に係るタスク情報管理装置５００は、主な機能部として、タスク情報管理部５０１、タスク情報記憶部５０２、及び通信部５０３とから構成される。
【０２２９】
タスク情報管理部５０１は、図２４に示すようなタスク情報４５aを管理する。タスク情報管理部５０１は、制御部（CPU）によって行う機能である。
【０２３０】
タスク情報記憶部５０２は、タスク情報４５aをリスト化したタスク情報リスト４５を記憶する。タスク情報記憶部５０２は、補助記憶部（不揮発性の記憶装置）によって行う機能である。
【０２３１】
通信部５０３は、更新情報出力装置１００や情報登録装置２００へのタスク情報４５aの送信など、ネットワーク９０を介して接続される周辺装置とのデータ通信を行う機能である。通信部５０３は、ネットワークI/Fによって行う機能である。
【０２３２】
このように、本実施形態に係るタスク情報管理装置５００は、「タスク情報４５aを管理する」という機能を実現している。
【０２３３】
本実施形態に係る情報処理システム１は、上記に説明した更新情報出力装置１００、情報登録装置２００、及びタスク情報管理装置５００が有する各機能部を、以下に手順に従って実行する。
【０２３４】
（手順１）更新情報の収集
本実施形態に係る情報処理システム１は、更新情報出力装置１００が有する更新情報収集部１０４において、RSS配信サービスによりWebサイト３００１や情報DB３００２などの情報公開元から更新情報７１aを収集する（収集手段）。
【０２３５】
（手順２）更新情報の出力
本実施形態に係る情報処理システム１は、更新情報出力装置１００が有する更新情報出力部１０３において、情報登録装置２００の履歴管理部２０６が管理する登録履歴情報であるタスク関連付けブックマーク履歴情報４６aを基に、紙面上での出力する更新情報７１aの並び順を変更した、本実施形態に係るシステムへの情報登録処理を指示するマーキング領域や関連付けるタスクを指示するマーキング領域を含む出力レイアウトで出力データを生成し（生成手段）、生成された出力データを紙に出力する。これによって、ユーザは、更新情報出力装置１００により紙面上に一覧となって出力された複数の更新情報７１aの中から、更新情報毎に付加されたマーキング領域をマーキングすることで、登録対象となる公開情報の情報公開元と関連付けるタスクを選択することができる。
【０２３６】
（手順３）画像の読み取り
本実施形態に係る情報処理システム１は、情報登録装置２００が有する画像読み取り部２０３において、ユーザによってマーキングされた紙を画像として読み取る。
【０２３７】
（手順４）登録対象情報の抽出
本実施形態に係る情報処理システム１は、情報登録装置２００が有する登録対象情報抽出部２０４において、読み取られた画像を解析することで、識別コード（例えば、バーコードや２次元コードなど。）と抽出された本実施形態に係るシステムへの情報登録処理を指示する情報（マーク）とを基に、情報登録処理を指示された更新情報７１aの識別コード（例えば、バーコードや２次元コードなど。）をデコードし、登録対象となる公開情報の情報格納先を抽出する（抽出手段）。
【０２３８】
（手順５）登録対象情報の登録
本実施形態に係る情報処理システム１は、情報登録装置２００が有する情報登録部２０５において、抽出された関連付けるタスクを指示する情報（マークや数字）を基に、関連付けを指示されたタスク情報４５aを付加した登録対象情報７２aをオンラインブックマークサービス４００に登録する。
【０２３９】
このように、本実施形態に係る情報処理システム１は、上記に説明した（手順１）〜（手順５）により、「ユーザが、収集した情報の中から必要な情報を、タスクに関連付けて簡便にオンラインブックマークサービス４００へ登録できる」システムを実現している。
【０２４０】
次に、これまで説明を行ってきた本実施形態に係る情報処理システム１の具体的な処理手順について以下に説明する。
【０２４１】
＜更新情報出力装置の基本処理手順について＞
本実施形態に係る更新情報出力装置１００は、主に、更新情報収集部１０４及び更新情報出力部１０３の処理手順によって機能を実現している。
【０２４２】
更新情報収集部１０４は、第１の実施形態と同じであるため、同一の図面及び符号を用いて説明を省略する。
【０２４３】
図２６は、本発明の第２の実施形態に係る更新情報出力装置１００における更新情報出力処理手順の一例を示すフローチャートである。
【０２４４】
更新情報収集部１０４によって主記憶部１２のRAM上に生成された更新情報リスト７１を基に更新情報７１aを紙に出力する更新情報出力処理手順について以下に説明する。
【０２４５】
本実施形態に係る更新情報出力装置１００は、更新情報出力部１０３により、取得されたRSS配信情報５０を解析し、主記憶部１２のRAM上に生成された更新情報リスト７１を取得する（Ｓ４０１）。
【０２４６】
更新情報出力装置１００は、更新情報出力部１０３により、情報登録装置２００の履歴管理部２０６が管理する、公開情報の情報格納先をオンラインブックマークサービス４００にタスクに関連付けて登録したときの公開情報の情報公開元が登録履歴として記録された登録履歴情報であるタスク関連付けブックマーク履歴情報４６aを基に、更新情報リスト７１を構成する更新情報７１aをソートする（並び替える）（Ｓ４０２）。
【０２４７】
更新情報７１aのソート（並び替え）についての詳細な処理手順を、図２７を用いて以下に説明する。
【０２４８】
図２７は、本発明の第２の実施形態に係るタスク関連付け頻度情報リスト４７のデータ構造の一例を示す図である。
【０２４９】
図２７では、Webサイト３００１や情報DB３００２などの情報公開元（情報発信元）の名前である「ソース名」（例えば、図中の「AAA News Site」など文字列データ。）と、更新情報７０aの情報格納先、すなわち更新情報７０aの配信元を示す「RSS配信URL」（例えば、図中の「http://www.aaa.com/info/rss.rdf」などの文字列データ。）と、情報登録装置２００の履歴管理部２０６が管理するタスク関連付けブックマーク履歴情報４６aから過去のタスク関連付け回数を算出（集計）し、関連付け回数の多い順、すなわち関連付けられた頻度の高い上位３つのタスクを示す「第１位〜第３位タスク」（例えば、task1、task3、task2など。）から構成されるタスク関連付け頻度情報４７aをリスト化し、主記憶部１２のRAM上に生成したタスク関連付け頻度情報リスト４７の例が示されている。
【０２５０】
更新情報出力装置１００は、以下に説明する更新情報ソート（並び替え）処理手順によって更新情報７１aをソートする。
【０２５１】
更新情報出力装置１００は、更新情報出力部１０３により、情報登録装置２００の履歴管理部２０６が管理する、図２５に示すようなタスク関連付けブックマーク履歴情報リスト４６を、ネットワーク９０を介して参照し、公開情報の情報公開元の関連付けタスク別登録回数（ブックマーク回数）を算出（集計）する。
【０２５２】
例えば、本実施形態に係る情報処理システム１を利用しているユーザを、システムへのログイン時に入力されたユーザ情報４２aを基にユーザ情報リスト４３から特定し、特定されたユーザの「ユーザ名」を基にブックマーク履歴情報リスト４２の「ブックマークユーザ」を参照し、「関連タスクIDリスト」を基に、特定ユーザにおける公開情報の情報公開元の関連付けタスク別登録回数（ブックマーク回数）を算出（集計）する。
【０２５３】
図２５のタスク関連付けブックマーク履歴情報リスト４６を例に、ユーザ"user1"における公開情報の情報公開元の関連付けタスク別登録回数（ブックマーク回数）を算出（集計）すると、公開情報の情報公開元を示す「ソース名」"AAA News Site"には、関連タスクIDリスト"task1,task4"からタスクID"１"及びタスクID"４"を基に特定されるタスクが１回ずつ関連付けられている。また、「ソース名」"Tech Information"には、関連タスクIDリスト"task4"からタスクID"４"を基に特定されるタスクが１回関連付けられている。
【０２５４】
また、ユーザを特定せず、タスク関連付けブックマーク履歴情報４６全てから公開情報の情報公開元の関連付けタスク別登録回数（ブックマーク回数）を算出（集計）しても良い。
【０２５５】
更新情報出力装置１００は、更新情報出力部１０３により、算出（集計）された関連付けタスク別登録回数（ブックマーク回数）を基に、更新情報リスト７１を構成する更新情報７１aを、関連付けタスク別登録回数（ブックマーク回数）が多い順、すなわち登録頻度の高い順に並び替える。
【０２５６】
図２６に戻り、更新情報出力装置１００は、更新情報出力部１０３により算出（集計）された公開情報の情報公開元の関連付けタスク別登録回数（ブックマーク回数）を基に、関連付け回数の多い順、すなわち関連付けられた頻度の高い上位３つのタスクを特定し、公開情報の情報公開元を示す「ソース名」と、更新情報７０aの情報格納先、すなわち更新情報７０aの配信元を示す「RSS配信URL」（例えば、図中の「http://www.aaa.com/info/rss.rdf」などの文字列データ。）から、図２７に示すようなタスク関連付け頻度情報リスト４７を、主記憶部１２のRAM上に生成する（Ｓ４０３）。
【０２５７】
更新情報出力装置１００は、更新情報出力部１０３により、ソートされた更新情報リスト７１から更新情報７１aを1つ読み込む。
【０２５８】
更新情報出力装置１００は、更新情報出力部１０３により、更新情報７１aの「タイトル」（例えば、図８では、"Ａ社が最新機種を発表"などの文字列データ。）と「公開情報URL」（例えば、図８では、"http://www.aaa.com/n1.html"などの文字列データ。）とを基に、更新情報７１aの識別コード（例えば、バーコードや2次元コードなど。）を生成する。本実施形態では、更新情報７１aの「タイトル」と「公開情報URL」の文字列データからQR（Quick Response）コードを生成する（Ｓ４０５）。
【０２５９】
更新情報出力装置１００は、更新情報出力部１０３により、更新情報７１aと更新情報７１aを識別する識別コード（QRコード）に加えて、本実施形態に係るシステムへの情報登録処理を指示するマーキング領域や関連付けるタスクを指示するマーキング領域などを含む出力レイアウトで出力データ（ラスタイメージ）を生成する（Ｓ４０６）。
【０２６０】
更新情報出力装置１００は、更新情報出力部１０３により、更新情報リスト７１に未処理の更新情報７１aがある場合（Ｓ４０４がNOの場合）、未処理の更新情報７１aを読み込み、リストに含まれる更新情報７１aが全て処理済みとなるまで処理手順を繰り返す。
【０２６１】
また、更新情報リスト７１に未処理の更新情報７１aがない場合（Ｓ４０４がYESの場合）、更新情報出力装置１００は、更新情報出力部１０３により、生成された出力データ（ラスタイメージ）を紙に出力する（Ｓ４０７）。
【０２６２】
更新情報出力装置１００は、更に、タスク情報管理装置５００が管理するタスク情報４５aを取得し、取得されたタスク情報４５aを基に生成した出力データ（ラスタイメージ）を紙に出力する（Ｓ４０８）。
【０２６３】
図２８は、本発明の第２の実施形態に係る更新情報出力装置１００における更新情報出力部１０３により出力された紙の印刷結果８０（その１）の一例を示す図である。また、図２９は、本発明の第２の実施形態に係る更新情報出力装置１００における更新情報出力部１０３により出力された紙の印刷結果８１（タスク情報一覧）の一例を示す図である。また、図３０は、本発明の第２の実施形態に係る更新情報出力装置１００における更新情報出力部１０３により出力された紙の印刷結果８０（その２）の一例を示す図である。
【０２６４】
本実施形態に係る更新情報出力装置１００によって出力された更新情報リスト７１は、図２８に示すような印刷結果８０で紙に出力される。
【０２６５】
図２８の印刷結果８０の例では、主に、更新情報７１aを出力する領域８０aと、更新情報７１aの「タイトル」と「公開情報URL」から生成された識別コード（QRコード）を出力する領域８０bと、更新情報７１aが対応する公開情報の情報格納先の登録を指示するマーキング領域を出力する領域８０cと、関連付けるタスクを指示するマーキング領域８０e及び８０dとから構成される出力レイアウトが、登録履歴情報であるタスク関連付けブックマーク履歴情報４６aを基に配置され、紙に印刷された例が示されている。
【０２６６】
また、更新情報７１aを出力する領域８０aには、Webサイト３００１や情報DB３００２などの情報公開元（情報発信元）の名前である「ソース名」、更新された公開情報の見出しを示す「タイトル」、更新された公開情報の本文を示す「本文」の情報が出力される。更に、閲覧性を考慮して、更新情報７１aを出力する領域８０aは、他の情報と区別するための枠に囲まれている。
【０２６７】
図２９の印刷結果８１の例では、紙面上に、タスク情報管理装置５００が管理するタスク情報４５aを一覧で出力した例が示されている。
【０２６８】
図２８の印刷結果８０は、図２５に示したタスク関連付けブックマーク履歴情報４６aが情報登録装置２００に蓄積され、タスク関連付けブックマーク履歴情報４６aを基にタスク関連付け頻度情報４７aが生成可能な場合に、更新情報出力部１０３により紙に出力された結果である。そのため、図２８の印刷結果８０には、図２９に示すタスク情報一覧を参照し、タスクID（図２９では、１〜８の数値。）によって関連付けるタスクを指示するマーキング領域８０dの他、関連付けるタスクの候補を示すタスク情報４５a（タスク関連付け頻度情報４７aの関連タスクIDリストに示すタスクの「タイトル」の文字列データ）が付加された関連付けるタスクを指示するマーキング領域８０eが出力されている。
【０２６９】
また、関連付けるタスクを指示するマーキング領域８０eに、関連付けるタスクの候補を示すタスク情報４５a（タスク関連付け頻度情報４７aの関連タスクIDリストに示すタスクの「タイトル」の文字列データ）を付加した際に、更新情報出力部１０３により、マーキング領域８０eとタスク関連付け頻度情報４７aの各関連タスクIDとが対応付けられている。
【０２７０】
これによって、本実施形態に係る情報処理システム１は、紙面上でのタスクに関連付けて情報を登録する処理を指示するためのマーキング領域８０e及び８０dに、登録対象情報７２aに関連付ける候補となるタスク情報４５aを付加することにより、ユーザが関連するタスクと出力する更新情報７１aとを対応付けた出力レイアウトで出力データを生成することができる。
【０２７１】
よって、ユーザは、図２９に示すタスク一覧を参照することなく、関連付けるタスクの候補を示すタスク情報４５a（タスク関連付け頻度情報４７aの関連タスクIDリストに示すタスクの情報）を参考に、関連付けるタスクを選択することができる。更に、図２９に示すタスク一覧を参照し、新たに関連付けるタスクも選択することができる。
【０２７２】
図３０の印刷結果８０は、図２８の印刷結果８０で示した、関連付けるタスクの候補を示すタスク情報４５a（タスク関連付け頻度情報４７aの関連タスクIDリストに示すタスクの情報）が付加された関連付けるタスクを指示するマーキング領域８０eが出力されていない例が示されている。
【０２７３】
図３０の印刷結果８０は、図２５に示したタスク関連付けブックマーク履歴情報４６aが情報登録装置２００に蓄積されておらず、タスク関連付けブックマーク履歴情報４６aを基にタスク関連付け頻度情報４７aが生成不可能な場合に、更新情報出力部１０３により紙に出力された結果である。よって、ユーザは、図２９に示すタスク一覧を参照し、関連付けるタスクを選択指示し、図２５に示すタスク関連付けブックマーク履歴情報４６aを情報登録装置２００に蓄積する。
【０２７４】
図３１及び図３２は、本発明の第２の実施形態に係るユーザによってマーキングされた紙面（その１及びその２）の一例を示す図である。
【０２７５】
図３１に示すように、ユーザは、本実施形態に係る更新情報出力装置１００によって出力された紙面上の情報登録を指示するマーキング領域８０cと、関連付けるタスクの候補を示すタスク情報４５a（タスク関連付け頻度情報４７aの関連タスクIDリストに示すタスクの情報）が付加された関連付けるタスクを指示するマーキング領域８０eとを、ペンなどを用いてマーキングすることにより、オンラインブックマークサービス４００にタスクに関連付けて登録する公開情報が更新されたときの情報である更新情報７１aを選択することができる。
【０２７６】
図３１では、紙面上のマーキング領域８０c及び８０eが「レ」（チェックME1）などでマーキングされた例が示されている。
【０２７７】
また、図３２に示すように、ユーザは、本実施形態に係る更新情報出力装置１００によって出力された紙面上の情報登録を指示するマーキング領域８０cと、図２９に示したタスク一覧を参照し、タスクID（図２９では、１〜８の数値。）によって関連付けるタスクを指示するマーキング領域８０dとを、ペンなどを用いてマーキングすることにより、オンラインブックマークサービス４００にタスクに関連付けて登録する公開情報が更新されたときの情報である更新情報７１aを選択することができる。
【０２７８】
図３２では、紙面上のマーキング領域８０cが「レ」（チェック）でマーキングされ、更に、紙面上のマーキング領域８０dに、関連付けるタスクID「１、７」が加筆された例が示されている。
【０２７９】
このように、本実施形態に係る更新情報出力装置１００は、登録履歴情報であるタスク関連付けブックマーク履歴情報４６aを基に、紙面上での出力する更新情報７１aの並び順を変更することにより、ユーザが過去にタスクに関連付けて登録した情報の関連付けタスク別登録回数の頻度に応じて、ユーザによる登録頻度の高い情報、すなわちユーザにとって必要性のある情報が出力順序の上位となるような出力レイアウトで出力データを生成し、生成された出力データを紙に出力する。よって、更新情報出力装置１００は、必要な情報が選択しやすいユーザインタフェースを、ユーザに提供することができる。
【０２８０】
＜情報登録装置の基本処理手順について＞
本実施形態に係る情報登録装置２００は、主に、画像読み取り部２０３、登録対象情報抽出部２０４、及び情報登録部２０５の処理手順によって機能を実現している。
【０２８１】
画像読み取り部２０３は、第１の実施形態と同じであるため、同一の図面及び符号を用いて説明を省略する。
【０２８２】
また、本実施形態に係る情報登録装置２００における情報登録処理手順は、第１の実施形態とほぼ同じであるため、同一の図面及び符号を用いて説明を省略し、異なる点である、登録対象情報の抽出についての詳細な処理手順を、図３３、３４、及び３５を用いて以下に説明する。
【０２８３】
図３３は、本発明の第２の実施形態に係る情報登録装置２００における登録対象情報抽出処理手順の一例を示すフローチャートである。
【０２８４】
本実施形態に係る情報登録装置２００は、登録対象情報抽出部２０４により、受け取った画像データを解析し、更新情報７１aを囲う枠（例えば、図２８に示す更新情報７１aを出力する領域８０aを囲う矩形枠など。）の領域認識を行うことで、更新情報７１aの領域８０aの抽出を行う（Ｓ５０１）。領域認識では、抽出された更新情報７１aの領域８０aを識別する識別コード「更新情報領域ID」と、出力レイアウトを基にした紙面上の２次元空間における更新情報７１aの領域８０aの座標位置を示す「座標位置（左上及び右下の対角座標）」とから構成される更新情報領域位置情報４４aをリスト化した、図２０に示すような更新情報領域位置情報リスト４４を、主記憶部１２のRAM上に生成する。
【０２８５】
情報登録装置２００は、登録対象情報抽出部２０４により、生成された更新情報領域位置情報リスト４４に未処理の領域がある場合（Ｓ５０２がYESの場合）、更新情報領域IDを基に、該当する未処理の更新情報７１aの領域８０aの画像を１つ読み込む。
【０２８６】
情報登録装置２００は、登録対象情報抽出部２０４により、読み込んだ更新情報７１aの領域８０aの画像に対して、領域内に含まれる情報登録を指示するマーキング領域８０cの抽出を行う（Ｓ５０３）。このとき、情報登録を指示するマーキング領域８０cの抽出を行い、マーキング領域８０cがマーキングされているか否かの認識を行う。本実施形態では、マーキング領域８０cに何らかの書き込み（例えば、図３１に示した「レ（チェック）」があればマーキングされたものとして判断する。
【０２８７】
情報登録装置２００は、登録対象情報抽出部２０４により、抽出された情報登録を指示するマーキング領域８０cがマーキングされていない（書き込みがない）と判断した場合（Ｓ５０４がNOの場合）、Ｓ５０２の処理手順に戻る。
【０２８８】
また、抽出された情報登録を指示するマーキング領域８０cがマーキングされている（書き込みがある）と判断した場合（Ｓ５０４がYESの場合）、読み込んだ更新情報７１aの領域８０aの画像に対して、領域内に含まれる関連付けるタスクを指示するマーキング領域８０e及び／又は８０dの抽出を行う（Ｓ５０５）。
【０２８９】
関連タスク情報の抽出についての詳細な処理手順を、図３４及び図３５を用いて以下に説明する。
【０２９０】
図３４は、本発明の第２の実施形態に係る情報登録装置２００における関連タスク情報抽出処理手順の一例を示すフローチャートである。
【０２９１】
本実施形態に係る情報登録装置２００は、登録対象情報抽出部２０４により、読み込んだ更新情報７１aの領域８０aの画像に対して、領域内に含まれる関連付けるタスクを指示するマーキング領域８０e及び／又は８０dの抽出を行う（Ｓ５０５１）。
【０２９２】
情報登録装置２００は、登録対象情報抽出部２０４により、抽出された関連付けるタスクを指示するマーキング領域８０eがマーキングされていない（書き込みがない）及び／又はタスクID（図２９では、１〜８の数値。）によって関連付けるタスクを指示するマーキング領域８０dにタスクIDが加筆されていないと判断した場合（Ｓ５０５２がNOの場合）、後述するＳ５０６の処理手順に移行する。
【０２９３】
また、抽出された関連付けるタスクを指示するマーキング領域８０eがマーキングされている（書き込みがある）及び／又はタスクID（図２９では、１〜８の数値。）によって関連付けるタスクを指示するマーキング領域８０dにタスクIDが加筆されていると判断した場合（Ｓ５０５２がYESの場合）、関連付けるタスクを指示する情報を抽出する（Ｓ５０５３）。
【０２９４】
例えば、情報登録装置２００は、関連付けるタスクを指示するマーキング領域８０eから関連付けるタスク情報４５aを特定する場合、登録対象情報抽出部２０４により、抽出された関連付けるタスクを指示するマーキング領域８０eがマーキングされている（書き込みがある）か否かを判断し、更新情報出力装置１００の更新情報出力部１０３において、出力データを生成する際、マーキング領域８０eに対応づけられた、図２５に示すタスク関連付け頻度情報４６aの各関連タスクIDを抽出する。
【０２９５】
また、例えば、情報登録装置２００は、タスクID（図２９では、１〜８の数値。）によって関連付けるタスクを指示するマーキング領域８０dから関連付けるタスク情報４５aを特定する場合、登録対象情報抽出部２０４により、抽出されたタスクID（図２９では、１〜８の数値。）によって関連付けるタスクを指示するマーキング領域８０dにタスクIDが加筆されていると判断し、マーキング領域８０dの画像に対してOCR（Optical Character Reader）処理を行い、タスクIDを抽出する。
【０２９６】
図３３に戻り、更に、情報登録装置２００は、登録対象情報抽出部２０４により、領域内の更新情報７１aを識別する識別コード（例えば、図３１に示す領域８０bに出力されたQRコード。）の領域８０bを抽出し、抽出された識別コード（QRコード）のデコードを行い、登録対象情報７２aを抽出する（Ｓ５０６）。このとき、抽出された情報を基に、主記憶部１２のRAM上に登録対象情報リストを生成する。
【０２９７】
図３５は、本発明の第２の実施形態に係る登録対象情報リスト７２のデータ構造の一例を示す図である。
【０２９８】
図３５では、識別コード（QRコード）から抽出された更新情報７１aの「タイトル」及び「公開情報URL」と、特定された関連タスクID及び／又は抽出されたタスクIDを、カンマ区切りの文字列データとしてリスト化した「関連タスクIDリスト」とから構成される登録対象情報７２aをリスト化した登録対象情報リスト７２の例が示されている。
【０２９９】
図３４に戻り、情報登録装置２００は、登録対象情報抽出部２０４により、抽出された登録対象情報７２aを基に、登録対象情報リスト７２を更新し、Ｓ５０２の処理手順に戻る。
【０３００】
情報登録装置２００は、登録対象情報抽出部２０４により、主記憶部１２のRAM上に生成された更新情報領域位置情報リスト４４に未処理の領域がない場合（Ｓ５０２がNOの場合）、生成した登録対象情報リスト７２を、主記憶部１２のRAM上を介して情報登録部２０５に渡し、処理を終了する。
【０３０１】
情報登録装置２００は、情報登録部２０５により、主記憶部１２のRAM上を介して受け取った登録対象情報リスト７２を基に、登録対象情報７２aである公開情報の情報格納先をオンラインブックマークサービス４００に登録する。
【０３０２】
本実施形態でも、第１の実施形態と同じように、登録するオンラインブックマークサービス４００として、ネットワーク９０を介してブックマーク登録できるAPI（Application Program Interface）を公開している（情報登録方法を公開している）外部のサービスを利用する。
【０３０３】
登録対象情報の登録についての詳細な処理手順を、図３６を用いて以下に説明する。
【０３０４】
図３６は、本発明の第２の実施形態に係る情報登録装置２００における登録対象情報登録処理手順の一例を示すフローチャートである。
【０３０５】
本実施形態に係る情報登録装置２００は、情報登録部２０５により、主記憶部１２のRAM上を介して登録対象情報リスト７２を受け取り（Ｓ６０１）、受け取った登録対象情報リスト７２に未処理の情報がある場合（Ｓ６０２がYESの場合）、登録対象情報リスト７２から未処理の登録対象情報７２aを１つ読み込む。
【０３０６】
情報登録装置２００は、情報登録部２０５により、登録対象情報７２aの「関連タスクIDリスト」を基に、タスク情報管理装置５００のタスク情報管理部５０１が管理するタスク情報リスト４５を参照し、該当するタスク情報４５aを取得する（Ｓ６０３）。
【０３０７】
情報登録装置２００は、情報登録部２０５により、登録対象情報７２aからブックマーク登録用URLを生成し、生成されたURLをオンラインブックマークサービス４００に登録し（Ｓ６０４）、Ｓ６０２の処理手順に戻る。
【０３０８】
本実施形態が利用する外部のオンラインブックマークサービス４００「del.icio.us」では、「https://api.del.icio.us/v1/posts/add?url=URL&description=DESCRIPTION&tags=TAG1 TAG2 TAG3」という形式のURLにアクセスすることでブックマークとして登録する情報に対してタグ情報を付与することができる。タグ情報は、「tags」パラメータとして指定でき、空白文字で区切ることで複数のタグ情報を指定することもできる。
【０３０９】
情報登録装置２００は、情報登録部２０５により、Ｓ６０３の処理手順によって特定した関連付けるタスク情報４５aをタグ情報として登録対象情報７２aに付加し登録する。
【０３１０】
例えば、読み込んだ登録対象情報７２aが、図３５に示した「タイトル」"A社が最新機種を発表"及び「公開情報URL」"http://www.aaa.com/n1.html"、「関連タスクIDリスト」"１、７"で、「del.icio.us」というオンラインブックマークサービス４００へ情報を登録する場合、「https://api.del.icio.us/v1/posts/add?url=http://www.aaa.com/n1.html&description=A社が最新機種を発表&tags=１：Aプロジェクト ７：報告資料作成」というブックマーク登録用URLを生成する。
【０３１１】
情報登録装置２００は、情報登録部２０５により、登録対象情報リスト７２に未処理の情報がない場合（Ｓ６０２がNOの場合）、処理を終了する。
【０３１２】
このように、本実施形態に係る情報登録装置２００は、ユーザによって紙面上でマーキングされ、オンラインブックマークサービス４００に登録する対象として選択された情報や本実施形態に係るシステムへの情報登録処理を指示する情報及び関連付けるタスクを指示する情報とを抽出し、抽出された情報登録処理を指示する情報に従って、抽出された登録対象情報７２aをタスクに関連付けてオンラインブックマークサービス４００に登録する。よって、ユーザが、収集した情報をタスクに関連付けて簡便にオンラインブックマークサービスへ登録する。
【０３１３】
＜まとめ＞
以上のように、本発明の第２の実施形態によれば、本実施形態に係る情報処理システム１は、更新情報出力装置１００、情報登録装置２００、及びタスク情報管理装置５００が有する各機能部を、以下に手順に従って実行する。
【０３１４】
（手順１）更新情報の収集
本実施形態に係る情報処理システム１は、更新情報出力装置１００が有する更新情報収集部１０４において、RSS配信サービスによりWebサイト３００１や情報DB３００２などの情報公開元から更新情報７１aを収集する（収集手段）。
【０３１５】
（手順２）更新情報の出力
本実施形態に係る情報処理システム１は、更新情報出力装置１００が有する更新情報出力部１０３において、情報登録装置２００の履歴管理部２０６が管理する登録履歴情報であるタスク関連付けブックマーク履歴情報４６aを基に、紙面上での出力する更新情報７１aの並び順を変更した、本実施形態に係るシステムへの情報登録処理を指示するマーキング領域や関連付けるタスクを指示するマーキング領域を含む出力レイアウトで出力データを生成し（生成手段）、生成された出力データを紙に出力する。これによって、ユーザは、更新情報出力装置１００により紙面上に一覧となって出力された複数の更新情報７１aの中から、更新情報毎に付加されたマーキング領域をマーキングすることで、登録対象となる公開情報の情報公開元と関連付けるタスクを選択することができる。
【０３１６】
（手順３）画像の読み取り
本実施形態に係る情報処理システム１は、情報登録装置２００が有する画像読み取り部２０３において、ユーザによってマーキングされた紙を画像として読み取る。
【０３１７】
（手順４）登録対象情報の抽出
本実施形態に係る情報処理システム１は、情報登録装置２００が有する登録対象情報抽出部２０４において、読み取られた画像を解析することで、識別コード（例えば、バーコードや２次元コードなど。）と抽出された本実施形態に係るシステムへの情報登録処理を指示する情報（マーク）とを基に、情報登録処理を指示された更新情報７１aの識別コード（例えば、バーコードや２次元コードなど。）をデコードし、登録対象となる公開情報の情報格納先を抽出する（抽出手段）。
【０３１８】
（手順５）登録対象情報の登録
本実施形態に係る情報処理システム１は、情報登録装置２００が有する情報登録部２０５において、抽出された関連付けるタスクを指示する情報（マークや数字）を基に、関連付けを指示されたタスク情報４５aを付加した登録対象情報７２aをオンラインブックマークサービス４００に登録する。
【０３１９】
このように、本実施形態に係る情報処理システム１は、上記（手順１）〜（手順５）によって、公開情報の情報格納先をオンラインブックマークサービス４００に登録したときの公開情報の情報公開元が登録履歴として記録された登録履歴情報であるタスク関連付けブックマーク履歴情報４６aを基に、紙面上での出力する更新情報７１aの並び順を変更することにより、ユーザが過去にタスクに関連付けて登録した情報の関連付けタスク別登録回数の頻度に応じて、ユーザによる登録頻度の高い情報、すなわちユーザにとって必要性のある情報が出力順序の上位となるような出力レイアウトで出力データを生成し、生成された出力データを紙に出力するとともに、ユーザによって紙面上でマーキングされ、オンラインブックマークサービス４００に登録する対象として選択された情報や本実施形態に係るシステムへの情報登録処理を指示する情報及び関連付けるタスクを指示する情報とを抽出し、抽出された情報登録処理を指示する情報に従って、抽出された登録対象情報７２aをタスクに関連付けてオンラインブックマークサービス４００に登録することができる。
【０３２０】
よって、本実施形態に係る情報処理システム１は、ユーザが、収集した情報の中から必要な情報をタスクに関連付けて簡便にオンラインブックマークサービス４００に登録することができる。
【０３２１】
［第３の実施形態］
第１の実施形態では、登録対象である公開情報の情報格納先をオンラインブックマークサービスに登録する基本的な方法について説明を行った。
【０３２２】
本実施形態では、登録対象となる公開情報の情報格納先をオンラインブックマークサービスに登録する際に、登録後、第三者に公開する情報公開範囲、すなわち登録した情報を第三者と共有する範囲を指定して登録することを特徴としている。
【０３２３】
このように、登録する公開情報の情報公開範囲を指定することによって、本実施形態に係る情報処理システムは、登録した情報の公開範囲（情報共有範囲）を制限することができる。
【０３２４】
＜更新情報出力装置及び情報登録装置のハードウェア構成について＞
本実施形態に係る情報処理システムが有する機能を実現するために必要な更新情報出力装置及び情報登録装置のハードウェア構成については、第１の実施形態と同一であるため、説明を省略し、同一の図面及び符号を用いる。
【０３２５】
＜情報処理システムのシステム構成及び機能構成について＞
次に、本実施形態に係る情報処理システム１のシステム構成については、第１の実施形態と同一であるため、説明を省略し、同一の図面及び符号を用いる。
【０３２６】
では、本実施形態に係る情報処理システム１の機能構成について、システムの構成要素であった更新情報出力装置１００及び情報登録装置２００の順に説明を行う。
【０３２７】
＜＜更新情報出力装置の機能構成について＞＞
本実施形態に係る更新情報出力装置１００は、RSS配信サービスによりWebサイト３００１や情報DB３００２などの情報公開元から更新情報７１aを収集し、収集した更新情報７１aを画像形成媒体に出力する。
【０３２８】
ここで言う「画像形成媒体」とは、媒体上に出力されたものが、「人が読むこと」ができ、「人が加筆すること」ができ、更に「加筆したものを画像読み取り装置などで読み取ること」のできる媒体を示している。よって、本実施形態では、例えば、紙、電子ペーパー、リライタブルペーパーなどを、更新情報を出力する媒体として利用することができる。以降の本実施形態における説明では、画像形成媒体として「紙」を利用した場合について説明する。
【０３２９】
本実施形態に係る更新情報出力装置１００は、主な機能部として、入力部１０１、表示部１０２、更新情報出力部１０３、更新情報収集部１０４、更新情報収集条件管理部１０５、更新情報収集条件記憶部１０６、及び通信部１０７とから構成される。
【０３３０】
本実施形態に係る更新情報出力装置１００の機能構成は、第１の実施形態とほぼ同じであるため、異なる点（更新情報出力部１０３）のみを以下に説明し、同じ点については、同一の図面及び符号を用いて説明を省略する。
【０３３１】
更新情報出力部１０３は、公開情報の情報格納先をオンラインブックマークサービス４００に登録したときの公開情報の情報公開元が登録履歴として記録された登録履歴情報であるブックマーク履歴情報４２aを基に、紙面上での出力する更新情報７１aの並び順を変更した出力レイアウトで出力データを生成し（生成手段）、生成された出力データ（ラスタイメージ）を紙に出力する。また、更新情報出力部１０３は、更新情報７１aを紙に出力する際、更新情報７１aを識別する識別コード（例えば、バーコードや２次元コードなど。）や本実施形態に係るシステムへの情報公開範囲を指示するマーキング領域などを、出力する更新情報７１aに付加する。更新情報出力部１０３は、出力データの生成を図１に示した制御部１１によって行い、また、紙への出力を図１に示した印刷部（プロッタ部）１７によって行う機能である。
【０３３２】
図３７は、本発明の第３の実施形態に係るユーザによってマーキングされた紙面の一例を示す図である。
【０３３３】
本実施形態に係る更新情報出力装置１００によって出力された更新情報リスト７１は、図３７に示すような印刷結果８０で紙に出力される。
【０３３４】
図３７の印刷結果８０の例では、主に、更新情報７１aを出力する領域８０aと、更新情報７１aの「タイトル」と「公開情報URL」から生成された識別コード（QRコード）を出力する領域８０bと、更新情報７１aが対応する公開情報の情報格納先の登録を指示するマーキング領域を出力する領域８０cと、登録後の情報公開範囲を指示するマーキング領域８０fとから構成される出力レイアウトが、登録履歴情報であるブックマーク履歴情報４２aを基に配置され、紙に印刷された例が示されている。
【０３３５】
また、更新情報７１aを出力する領域８０aには、Webサイト３００１や情報DB３００２などの情報公開元（情報発信元）の名前である「ソース名」、更新された公開情報の見出しを示す「タイトル」、更新された公開情報の本文を示す「本文」の情報が出力される。更に、閲覧性を考慮して、更新情報７１aを出力する領域８０aは、他の情報と区別するための枠に囲まれている。
【０３３６】
このように、本実施形態に係る情報処理システム１は、紙面上での登録後の情報公開範囲を指示するためのマーキング領域８０fを含む出力レイアウトで出力データを生成することができる。よって、ユーザが、登録する情報を選択するときに、オンラインブックマークサービス４００において、登録後の情報を第三者に公開する（情報を共有する）か否かを選択することができる。
【０３３７】
また、図３７に示すように、ユーザは、本実施形態に係る更新情報出力装置１００によって出力された紙面上の情報登録を指示するマーキング領域８０cと、登録後の情報公開範囲を指示するマーキング領域８０fとを、ペンなどを用いてマーキングすることにより、オンラインブックマークサービス４００に登録後の情報を公開する（情報を共有する）か否かが設定された、登録する公開情報が更新されたときの情報である更新情報７１aを選択することができる。
【０３３８】
図３７では、紙面上のマーキング領域８０c及び８０fが「レ」（チェックMF1）などでマーキングされた例が示されている。
【０３３９】
このように、本実施形態に係る更新情報出力装置１００は、「登録履歴情報であるブックマーク履歴情報４２aを基に、紙面上での出力する更新情報７１aの並び順を変更した、本実施形態に係るシステムへの情報登録処理を指示するためのマーキング領域８０c及び登録後の情報公開範囲を指示するためのマーキング領域８０fを含む出力レイアウトで出力データを生成し、生成された出力データを紙に出力する」という機能を実現している。
【０３４０】
＜＜情報登録装置の機能構成について＞＞
本実施形態に係る情報登録装置２００は、更新情報出力装置１００により紙面上に一覧となって出力された複数の更新情報７１aの中から、更新情報毎に付加されたマーキング領域８０cをユーザがマーキングすることによって情報を選択した後に、マーキングされた紙を画像として読み取り、読み取った画像を解析することで登録対象となる公開情報の情報格納先を抽出し、抽出した公開情報の情報格納先をオンラインブックマークサービス４００に登録する。
【０３４１】
本実施形態に係る情報登録装置２００は、主な機能部として、入力部２０１、表示部２０２、画像読み取り部２０３、登録対象情報抽出部２０４、情報登録部２０５、履歴管理部２０６、履歴記憶部２０７、通信部２０８、及びユーザ情報管理部２０９とから構成される。
【０３４２】
本実施形態に係る情報登録装置２００の機能構成は、第１の実施形態とほぼ同じであるため、異なる点（登録対象情報抽出部２０４及び情報登録部２０５）のみを以下に説明し、同じ点については、同一の図面及び符号を用いて説明を省略する。
【０３４３】
登録対象情報抽出部２０４は、画像読み取り部２０３により読み取られた画像を解析することで、更新情報７１aを識別する識別コード（例えば、バーコードや２次元コードなど。）、ユーザによってマーキングされ、本実施形態に係るシステムへの情報登録処理を指示する情報（マーク）、及び登録後の情報公開範囲を指示する情報（マーク）などを抽出し、抽出された識別コード（例えば、バーコードや２次元コードなど。）と、本実施形態に係るシステムへの情報登録処理を指示する情報（マーク）とを基に、情報登録処理を指示された更新情報７１aの識別コード（例えば、バーコードや２次元コードなど。）をデコードし、登録対象となる公開情報の情報格納先を抽出する（抽出手段）。登録対象情報抽出部２０４は、図２に示した制御部１１によって行う機能である。
【０３４４】
情報登録部２０５は、登録対象情報抽出部２０４により抽出された、本実施形態に係るシステムへの情報登録処理を指示する情報（マーク）に従って、抽出された登録対象情報７２aをオンラインブックマークサービス４００に登録する。このとき、情報登録部２０５は、登録対象情報抽出部２０４により抽出された登録後の情報公開範囲を指示する情報（マーク）を基に、情報を公開する（情報を共有する）か否かを指示する情報を付加した登録対象情報７２aを登録する。情報登録部２０５は、図２に示した制御部１１によって行う機能である。
【０３４５】
このように、本実施形態に係る情報登録装置２００は、「ユーザによって紙面上でマーキングされ、オンラインブックマークサービス４００に登録する対象として選択された情報や本実施形態に係るシステムへの情報登録処理を指示する情報及び登録後の情報公開範囲を指示する情報を抽出し、情報登録処理を指示する情報に従って、情報公開範囲を指示する情報（マーク）を基に情報を公開する（情報を共有する）か否かを指示する情報を付加した登録対象情報７２aをオンラインブックマークサービス４００に登録する」という機能を実現している。
【０３４６】
本実施形態に係る情報処理システム１は、上記に説明した更新情報出力装置１００及び情報登録装置２００が有する各機能部を、以下に手順に従って実行する。
【０３４７】
（手順１）更新情報の収集
本実施形態に係る情報処理システム１は、更新情報出力装置１００が有する更新情報収集部１０４において、RSS配信サービスによりWebサイト３００１や情報DB３００２などの情報公開元から更新情報７１aを収集する（収集手段）。
【０３４８】
（手順２）更新情報の出力
本実施形態に係る情報処理システム１は、更新情報出力装置１００が有する更新情報出力部１０３において、情報登録装置２００の履歴管理部２０６が管理する登録履歴情報であるブックマーク履歴情報４２aを基に、紙面上での出力する更新情報７１aの並び順を変更した、本実施形態に係るシステムへの情報登録処理を指示するマーキング領域８０cや登録後の情報公開範囲を指示するマーキング領域８０fを含む出力レイアウトで出力データを生成し（生成手段）、生成された出力データを紙に出力する。これによって、ユーザは、更新情報出力装置１００により紙面上に一覧となって出力された複数の更新情報７１aの中から、更新情報毎に付加されたマーキング領域をマーキングすることで、登録対象となる公開情報と情報公開範囲を選択指示することができる。
【０３４９】
（手順３）画像の読み取り
本実施形態に係る情報処理システム１は、情報登録装置２００が有する画像読み取り部２０３において、ユーザによってマーキングされた紙を画像として読み取る。
【０３５０】
（手順４）登録対象情報の抽出
本実施形態に係る情報処理システム１は、情報登録装置２００が有する登録対象情報抽出部２０４において、読み取られた画像を解析することで、識別コード（例えば、バーコードや２次元コードなど。）と抽出された本実施形態に係るシステムへの情報登録処理を指示する情報（マーク）とを基に、情報登録処理を指示された更新情報７１aの識別コード（例えば、バーコードや２次元コードなど。）をデコードし、登録対象となる公開情報の情報格納先を抽出する（抽出手段）。
【０３５１】
（手順５）登録対象情報の登録
本実施形態に係る情報処理システム１は、情報登録装置２００が有する情報登録部２０５において、抽出された登録後の情報公開範囲を指示する情報を付加した登録対象情報７２aをオンラインブックマークサービス４００に登録する。
【０３５２】
このように、本実施形態に係る情報処理システム１は、上記に説明した（手順１）〜（手順５）により、「ユーザが、収集した情報の中から必要な情報に対して、登録後の情報公開範囲を設定し、簡便にオンラインブックマークサービス４００へ登録できる」システムを実現している。
【０３５３】
次に、これまで説明を行ってきた本実施形態に係る情報処理システム１の具体的な処理手順について以下に説明する。
【０３５４】
＜更新情報出力装置の基本処理手順について＞
本実施形態に係る更新情報出力装置１００は、主に、更新情報収集部１０４及び更新情報出力部１０３の処理手順によって機能を実現している。
【０３５５】
更新情報収集部１０４は、第１の実施形態と同じであるため、同一の図面及び符号を用いて説明を省略する。
【０３５６】
では、本実施形態に係る更新情報出力装置１００の更新情報収集部１０４によって主記憶部１２のRAM上に生成された更新情報リスト７１を基に更新情報７１aを紙に出力する更新情報出力処理手順（図示せず）について以下に説明する。
【０３５７】
本実施形態に係る更新情報出力装置１００は、更新情報出力部１０３により、取得されたRSS配信情報５０を解析し、主記憶部１２のRAM上に生成された更新情報リスト７１を取得する。
【０３５８】
更新情報出力装置１００は、更新情報出力部１０３により、情報登録装置２００の履歴管理部２０６が管理する、公開情報の情報格納先をオンラインブックマークサービス４００に登録したときの公開情報の情報公開元が登録履歴として記録された登録履歴情報であるブックマーク履歴情報４２aを基に、更新情報リスト７１を構成する更新情報７１aをソートする（並び替える）。
【０３５９】
更新情報出力装置１００は、更新情報出力部１０３により算出（集計）された公開情報の情報公開元の登録回数（ブックマーク回数）を基に、登録回数の多い順、すなわち登録頻度の高い順に更新情報７１aをソートし、図９に示すような更新情報リスト７１を、主記憶部１２のRAM上に生成する。
【０３６０】
更新情報出力装置１００は、更新情報出力部１０３により、ソートされた更新情報リスト７１から更新情報７１aを1つ読み込む。
【０３６１】
更新情報出力装置１００は、更新情報出力部１０３により、更新情報７１aの「タイトル」（例えば、図８では、"Ａ社が最新機種を発表"などの文字列データ。）と「公開情報URL」（例えば、図８では、"http://www.aaa.com/n1.html"などの文字列データ。）とを基に、更新情報７１aの識別コード（例えば、バーコードや2次元コードなど。）を生成する。本実施形態では、更新情報７１aの「タイトル」と「公開情報URL」の文字列データからQR（Quick Response）コードを生成する。
【０３６２】
更新情報出力装置１００は、更新情報出力部１０３により、更新情報７１aと更新情報７１aを識別する識別コード（QRコード）に加えて、本実施形態に係るシステムへの情報登録処理を指示するマーキング領域８０cや登録後の情報公開範囲を指示するマーキング領域８０fなどを含む出力レイアウトで出力データ（ラスタイメージ）を生成する。
【０３６３】
更新情報出力装置１００は、更新情報出力部１０３により、更新情報リスト７１に未処理の更新情報７１aがある場合、未処理の更新情報７１aを読み込み、リストに含まれる更新情報７１aが全て処理済みとなるまで処理手順を繰り返す。
【０３６４】
また、更新情報リスト７１に未処理の更新情報７１aがない場合、更新情報出力装置１００は、更新情報出力部１０３により、生成された出力データ（ラスタイメージ）を紙に出力する。
【０３６５】
このように、本実施形態に係る更新情報出力装置１００は、登録履歴情報であるブックマーク履歴情報４２aを基に、紙面上での出力する更新情報７１aの並び順を変更した、本実施形態に係るシステムへの情報登録処理を指示するためのマーキング領域８０c及び登録後の情報公開範囲を指示するためのマーキング領域８０fを含む出力レイアウトで出力データを生成し、生成された出力データを紙に出力する。よって、更新情報出力装置１００は、必要な情報とその情報の公開範囲が選択しやすいユーザインタフェースを、ユーザに提供することができる。
【０３６６】
＜情報登録装置の基本処理手順について＞
本実施形態に係る情報登録装置２００は、主に、画像読み取り部２０３、登録対象情報抽出部２０４、及び情報登録部２０５の処理手順によって機能を実現している。
【０３６７】
画像読み取り部２０３は、第１の実施形態と同じであるため、同一の図面及び符号を用いて説明を省略する。
【０３６８】
また、本実施形態に係る情報登録装置２００における情報登録処理手順は、第１の実施形態とほぼ同じであるため、同一の図面及び符号を用いて説明を省略し、異なる点である、登録対象情報の抽出についての詳細な処理手順を、図３８及び図３９を用いて以下に説明する。
【０３６９】
図３８は、本発明の第３の実施形態に係る情報登録装置２００における登録対象情報抽出処理手順の一例を示すフローチャートである。
【０３７０】
本実施形態に係る情報登録装置２００は、登録対象情報抽出部２０４により、受け取った画像データを解析し、更新情報７１aを囲う枠（例えば、図３７に示す更新情報７１aを出力する領域８０aを囲う矩形枠など。）の領域認識を行うことで、更新情報７１aの領域８０aの抽出を行う（Ｓ７０１）。領域認識では、抽出された更新情報７１aの領域８０aを識別する識別コード「更新情報領域ID」と、出力レイアウトを基にした紙面上の２次元空間における更新情報７１aの領域８０aの座標位置を示す「座標位置（左上及び右下の対角座標）」とから構成される更新情報領域位置情報４４aをリスト化した、図２０に示すような更新情報領域位置情報リスト４４を、主記憶部１２のRAM上に生成する。
【０３７１】
情報登録装置２００は、登録対象情報抽出部２０４により、生成された更新情報領域位置情報リスト４４に未処理の領域がある場合（Ｓ７０２がYESの場合）、更新情報領域IDを基に、該当する未処理の更新情報７１aの領域８０aの画像を１つ読み込む。
【０３７２】
情報登録装置２００は、登録対象情報抽出部２０４により、読み込んだ更新情報７１aの領域８０aの画像に対して、領域内に含まれる情報登録を指示するマーキング領域８０cの抽出を行う（Ｓ７０３）。このとき、情報登録を指示するマーキング領域８０cの抽出を行い、マーキング領域８０cがマーキングされているか否かの認識を行う。本実施形態では、マーキング領域８０cに何らかの書き込み（例えば、図３７に示した「レ（チェック）」があればマーキングされたものとして判断する。
【０３７３】
情報登録装置２００は、登録対象情報抽出部２０４により、抽出された情報登録を指示するマーキング領域８０cがマーキングされていない（書き込みがない）と判断した場合（Ｓ７０４がNOの場合）、Ｓ７０２の処理手順に戻る。
【０３７４】
また、抽出された情報登録を指示するマーキング領域８０cがマーキングされている（書き込みがある）と判断した場合（Ｓ７０４がYESの場合）、読み込んだ更新情報７１aの領域８０aの画像に対して、領域内に含まれる登録後の情報公開範囲を指示するマーキング領域８０fの抽出を行う（Ｓ７０５）。
【０３７５】
情報公開範囲情報の抽出についての詳細な処理手順を、図３９を用いて以下に説明する。
【０３７６】
図３９は、本発明の第２の実施形態に係る情報登録装置２００における情報公開範囲情報抽出処理手順の一例を示すフローチャートである。
【０３７７】
本実施形態に係る情報登録装置２００は、登録対象情報抽出部２０４により、読み込んだ更新情報７１aの領域８０aの画像に対して、領域内に含まれる登録後の情報公開範囲を指示するマーキング領域８０fの抽出を行う（Ｓ７０５１）。
【０３７８】
情報登録装置２００は、登録対象情報抽出部２０４により、抽出された情報公開範囲を指示するマーキング領域８０fがマーキングされていない（書き込みがない）と判断した場合（Ｓ７０５２がNOの場合）、後述するＳ７０６の処理手順に移行する。
【０３７９】
また、抽出された情報公開範囲を指示するマーキング領域８０fがマーキングされている（書き込みがある）と判断した場合（Ｓ７０５２がYESの場合）、情報を公開する（情報を共有する）か否かを指示する情報を抽出する（Ｓ７０５３）。
【０３８０】
図３８に戻り、更に、情報登録装置２００は、登録対象情報抽出部２０４により、領域内の更新情報７１aを識別する識別コード（例えば、図３７に示す領域８０bに出力されたQRコード。）の領域８０bを抽出し、抽出された識別コード（QRコード）のデコードを行い、登録対象情報７２aを抽出する（Ｓ７０６）。このとき、抽出された情報を基に、主記憶部１２のRAM上に登録対象情報リストを生成する。
【０３８１】
図４０は、本発明の第３の実施形態に係る登録対象情報リスト７２のデータ構造の一例を示す図である。
【０３８２】
図４０では、識別コード（QRコード）から抽出された更新情報７１aの「タイトル」及び「公開情報URL」と、登録する情報を公開する（情報を共有する）か否かを指示する情報である「非公開」とから構成される登録対象情報７２aをリスト化した登録対象情報リスト７２の例が示されている。
【０３８３】
図３８に戻り、情報登録装置２００は、登録対象情報抽出部２０４により、抽出された登録対象情報７２aを基に、登録対象情報リスト７２を更新し、Ｓ７０２の処理手順に戻る。
【０３８４】
情報登録装置２００は、登録対象情報抽出部２０４により、主記憶部１２のRAM上に生成された更新情報領域位置情報リスト４４に未処理の領域がない場合（Ｓ７０２がNOの場合）、生成した登録対象情報リスト７２を、主記憶部１２のRAM上を介して情報登録部２０５に渡し、処理を終了する。
【０３８５】
情報登録装置２００は、情報登録部２０５により、主記憶部１２のRAM上を介して受け取った登録対象情報リスト７２を基に、登録対象情報７２aである公開情報の情報格納先をオンラインブックマークサービス４００に登録する。
【０３８６】
本実施形態でも、第１の実施形態と同じように、登録するオンラインブックマークサービス４００として、ネットワーク９０を介してブックマーク登録できるAPI（Application Program Interface）を公開している（情報登録方法を公開している）外部のサービスを利用する。
【０３８７】
登録対象情報の登録についての詳細な処理手順を以下に説明する。
【０３８８】
本実施形態に係る情報登録装置２００は、情報登録部２０５により、主記憶部１２のRAM上を介して登録対象情報リスト７２を受け取り、受け取った登録対象情報リスト７２に未処理の情報がある場合、登録対象情報リスト７２から未処理の登録対象情報７２aを１つ読み込む。
【０３８９】
情報登録装置２００は、情報登録部２０５により、登録対象情報７２aからブックマーク登録用URLを生成し、生成されたURLをオンラインブックマークサービス４００に登録し、次に未処理の登録対象情報７２aを読み込む処理手順に戻る。
【０３９０】
本実施形態が利用する外部のオンラインブックマークサービス４００「del.icio.us」では、「https://api.del.icio.us/v1/posts/add?url=URL&description=DESCRIPTION&shared=no」という形式のURLにアクセスすることでブックマークとして登録する情報に対して登録後の情報を公開する（情報を共有する）か否かを指示する情報を付与することができる。非公開指定情報は、「shared」パラメータとして指定できる。
【０３９１】
情報登録装置２００は、情報登録部２０５により、登録後の情報を公開する（情報を共有する）か否かを指示する情報を非公開指定情報として登録対象情報７２aに付加し登録する。
【０３９２】
例えば、読み込んだ登録対象情報７２aが、図４０に示した「タイトル」"A社が最新機種を発表"及び「公開情報URL」"http://www.aaa.com/n1.html"、「非公開」"true"（非公開とする）で、「del.icio.us」というオンラインブックマークサービス４００へ情報を登録する場合、「https://api.del.icio.us/v1/posts/add?url=http://www.aaa.com/n1.html&description=A社が最新機種を発表& shared=no」というブックマーク登録用URLを生成する。また、「タイトル」"コラム：Web2.0時代の開発プロセス"及び「公開情報URL」"http://www.aaa.com/n2.html"、「非公開」"false"（公開とする）で、「del.icio.us」というオンラインブックマークサービス４００へ情報を登録する場合、「https://api.del.icio.us/v1/posts/add?url=http://www.aaa.com/n1.html&description=コラム：Web2.0時代の開発プロセス& shared=no」というブックマーク登録用URLを生成する。
【０３９３】
情報登録装置２００は、情報登録部２０５により、登録対象情報リスト７２に未処理の情報がない場合、処理を終了する。
【０３９４】
このように、本実施形態に係る情報登録装置２００は、ユーザによって紙面上でマーキングされ、オンラインブックマークサービス４００に登録する対象として選択された情報や本実施形態に係るシステムへの情報登録処理を指示する情報及び登録後の情報公開範囲を指示する情報を抽出し、情報登録処理を指示する情報に従って、情報公開範囲を指示する情報（マーク）を基に情報を公開する（情報を共有する）か否かを指示する情報を付加した登録対象情報７２aをオンラインブックマークサービス４００に登録する。よって、ユーザが、収集した情報に対して、登録後の情報公開範囲（情報共有範囲）を設定し、簡便にオンラインブックマークサービスへ登録する。
【０３９５】
＜まとめ＞
以上のように、本発明の第３の実施形態によれば、本実施形態に係る情報処理システム１は、更新情報出力装置１００及び情報登録装置２００が有する各機能部を、以下に手順に従って実行する。
【０３９６】
（手順１）更新情報の収集
本実施形態に係る情報処理システム１は、更新情報出力装置１００が有する更新情報収集部１０４において、RSS配信サービスによりWebサイト３００１や情報DB３００２などの情報公開元から更新情報７１aを収集する（収集手段）。
【０３９７】
（手順２）更新情報の出力
本実施形態に係る情報処理システム１は、更新情報出力装置１００が有する更新情報出力部１０３において、情報登録装置２００の履歴管理部２０６が管理する登録履歴情報であるブックマーク履歴情報４２aを基に、紙面上での出力する更新情報７１aの並び順を変更した、本実施形態に係るシステムへの情報登録処理を指示するマーキング領域８０cや登録後の情報公開範囲を指示するマーキング領域８０fを含む出力レイアウトで出力データを生成し（生成手段）、生成された出力データを紙に出力する。これによって、ユーザは、更新情報出力装置１００により紙面上に一覧となって出力された複数の更新情報７１aの中から、更新情報毎に付加されたマーキング領域をマーキングすることで、登録対象となる公開情報と情報公開範囲を選択指示することができる。
【０３９８】
（手順３）画像の読み取り
本実施形態に係る情報処理システム１は、情報登録装置２００が有する画像読み取り部２０３において、ユーザによってマーキングされた紙を画像として読み取る。
【０３９９】
（手順４）登録対象情報の抽出
本実施形態に係る情報処理システム１は、情報登録装置２００が有する登録対象情報抽出部２０４において、読み取られた画像を解析することで、識別コード（例えば、バーコードや２次元コードなど。）と抽出された本実施形態に係るシステムへの情報登録処理を指示する情報（マーク）とを基に、情報登録処理を指示された更新情報７１aの識別コード（例えば、バーコードや２次元コードなど。）をデコードし、登録対象となる公開情報の情報格納先を抽出する（抽出手段）。
【０４００】
（手順５）登録対象情報の登録
本実施形態に係る情報処理システム１は、情報登録装置２００が有する情報登録部２０５において、抽出された登録後の情報公開範囲を指示する情報を付加した登録対象情報７２aをオンラインブックマークサービス４００に登録する。
【０４０１】
このように、本実施形態に係る情報処理システム１は、上記（手順１）〜（手順５）によって、公開情報の情報格納先をオンラインブックマークサービス４００に登録したときの公開情報の情報公開元が登録履歴として記録された登録履歴情報であるブックマーク履歴情報４２aを基に、紙面上での出力する更新情報７１aの並び順を変更した、本実施形態に係るシステムへの情報登録処理を指示するためのマーキング領域８０c及び登録後の情報公開範囲を指示するためのマーキング領域８０fを含む出力レイアウトで出力データを生成し、生成された出力データを紙に出力するとともに、ユーザによって紙面上でマーキングされ、オンラインブックマークサービス４００に登録する対象として選択された情報や本実施形態に係るシステムへの情報登録処理を指示する情報及び登録後の情報公開範囲を指示する情報を抽出し、情報登録処理を指示する情報に従って、情報公開範囲を指示する情報（マーク）を基に情報を公開する（情報を共有する）か否かを指示する情報を付加した登録対象情報７２aをオンラインブックマークサービス４００に登録することができる。
【０４０２】
よって、本実施形態に係る情報処理システム１は、ユーザが、収集した情報の中から必要な情報に対して、登録後の情報公開範囲（情報共有範囲）を設定し、簡便にオンラインブックマークサービス４００に登録することができる。
【０４０３】
［第４の実施形態］
第１の実施形態では、登録対象である公開情報の情報格納先をオンラインブックマークサービスに登録する基本的な方法について説明を行った。
【０４０４】
本実施形態では、登録対象となる公開情報の情報格納先をオンラインブックマークサービスに登録する際に、公開情報を画像形成媒体に出力することを特徴としている。
【０４０５】
このように、登録する公開情報の出力を指定することによって、本実施形態に係る情報処理システムは、登録した情報を画像形成媒体に記録することができる。
【０４０６】
＜更新情報出力装置及び情報登録装置のハードウェア構成について＞
本実施形態に係る情報処理システムが有する機能を実現するために必要な更新情報出力装置及び情報登録装置のハードウェア構成については、第１の実施形態と同一であるため、説明を省略し、同一の図面及び符号を用いる。
【０４０７】
＜情報処理システムのシステム構成及び機能構成について＞
次に、本実施形態に係る情報処理システム１のシステム構成については、第１の実施形態と同一であるため、説明を省略し、同一の図面及び符号を用いる。
【０４０８】
では、本実施形態に係る情報処理システム１の機能構成について、システムの構成要素であった更新情報出力装置１００及び情報登録装置２００の順に説明を行う。
【０４０９】
＜＜更新情報出力装置の機能構成について＞＞
本実施形態に係る更新情報出力装置１００は、RSS配信サービスによりWebサイト３００１や情報DB３００２などの情報公開元から更新情報７１aを収集し、収集した更新情報７１aを画像形成媒体に出力する。
【０４１０】
ここで言う「画像形成媒体」とは、媒体上に出力されたものが、「人が読むこと」ができ、「人が加筆すること」ができ、更に「加筆したものを画像読み取り装置などで読み取ること」のできる媒体を示している。よって、本実施形態では、例えば、紙、電子ペーパー、リライタブルペーパーなどを、更新情報を出力する媒体として利用することができる。以降の本実施形態における説明では、画像形成媒体として「紙」を利用した場合について説明する。
【０４１１】
本実施形態に係る更新情報出力装置１００は、主な機能部として、入力部１０１、表示部１０２、更新情報出力部１０３、更新情報収集部１０４、更新情報収集条件管理部１０５、更新情報収集条件記憶部１０６、及び通信部１０７とから構成される。
【０４１２】
本実施形態に係る更新情報出力装置１００の機能構成は、第１の実施形態とほぼ同じであるため、異なる点（更新情報出力部１０３）のみを、図４１を用いて以下に説明し、同じ点については、同一の符号を用いて説明を省略する。
【０４１３】
図４１は、本発明の第４の実施形態に係る情報処理システム１のシステム構成の一例を示す図である。
【０４１４】
更新情報出力部１０３は、公開情報の情報格納先をオンラインブックマークサービス４００に登録したときの公開情報の情報公開元が登録履歴として記録された登録履歴情報であるブックマーク履歴情報４２aを基に、紙面上での出力する更新情報７１aの並び順を変更した出力レイアウトで出力データを生成し（生成手段）、生成された出力データ（ラスタイメージ）を紙に出力する。また、更新情報出力部１０３は、更新情報７１aを紙に出力する際、更新情報７１aを識別する識別コード（例えば、バーコードや２次元コードなど。）や本実施形態に係るシステムへの情報の出力を指示するマーキング領域などを、出力する更新情報７１aに付加する。更新情報出力部１０３は、出力データの生成を図１に示した制御部１１によって行い、また、紙への出力を図１に示した印刷部（プロッタ部）１７によって行う機能である。
【０４１５】
図４２は、本発明の第４の実施形態に係るユーザによってマーキングされた紙面の一例を示す図である。
【０４１６】
本実施形態に係る更新情報出力装置１００によって出力された更新情報リスト７１は、図４２に示すような印刷結果８０で紙に出力される。
【０４１７】
図４２の印刷結果８０の例では、主に、更新情報７１aを出力する領域８０aと、更新情報７１aの「タイトル」と「公開情報URL」から生成された識別コード（QRコード）を出力する領域８０bと、更新情報７１aが対応する公開情報の情報格納先の登録を指示するマーキング領域を出力する領域８０cと、登録時の情報出力を指示するマーキング領域８０gとから構成される出力レイアウトが、登録履歴情報であるブックマーク履歴情報４２aを基に配置され、紙に印刷された例が示されている。
【０４１８】
また、更新情報７１aを出力する領域８０aには、Webサイト３００１や情報DB３００２などの情報公開元（情報発信元）の名前である「ソース名」、更新された公開情報の見出しを示す「タイトル」、更新された公開情報の本文を示す「本文」の情報が出力される。更に、閲覧性を考慮して、更新情報７１aを出力する領域８０aは、他の情報と区別するための枠に囲まれている。
【０４１９】
このように、本実施形態に係る情報処理システム１は、紙面上での登録後の情報公開範囲を指示するためのマーキング領域８０gを含む出力レイアウトで出力データを生成することができる。よって、ユーザが、登録する情報を選択するときに、オンラインブックマークサービス４００において、登録時の情報出力を行うか否かを選択することができる。
【０４２０】
また、図４２に示すように、ユーザは、本実施形態に係る更新情報出力装置１００によって出力された紙面上の情報登録を指示するマーキング領域８０cと、登録時の情報出力を指示するマーキング領域８０gとを、ペンなどを用いてマーキングすることにより、オンラインブックマークサービス４００に登録する公開情報が更新されたときの情報である更新情報７１aを選択し、登録時の情報出力を本実施形態に係るシステムに指示することができる。
【０４２１】
図４２では、紙面上のマーキング領域８０c及び８０gが「レ」（チェックMG1）などでマーキングされた例が示されている。
【０４２２】
このように、本実施形態に係る更新情報出力装置１００は、「登録履歴情報であるブックマーク履歴情報４２aを基に、紙面上での出力する更新情報７１aの並び順を変更した、本実施形態に係るシステムへの情報登録処理を指示するためのマーキング領域８０c及び登録時の情報出力を指示するためのマーキング領域８０gを含む出力レイアウトで出力データを生成し、生成された出力データを紙に出力する」という機能を実現している。
【０４２３】
＜＜情報登録装置の機能構成について＞＞
本実施形態に係る情報登録装置２００は、更新情報出力装置１００により紙面上に一覧となって出力された複数の更新情報７１aの中から、更新情報毎に付加されたマーキング領域８０cをユーザがマーキングすることによって情報を選択した後に、マーキングされた紙を画像として読み取り、読み取った画像を解析することで登録対象となる公開情報の情報格納先を抽出し、抽出した公開情報の情報格納先をオンラインブックマークサービス４００に登録し、登録時に公開情報を紙に出力する。
【０４２４】
本実施形態に係る情報登録装置２００は、主な機能部として、入力部２０１、表示部２０２、画像読み取り部２０３、登録対象情報抽出部２０４、情報登録部２０５、履歴管理部２０６、履歴記憶部２０７、通信部２０８、ユーザ情報管理部２０９、及び情報出力部２１０とから構成される。
【０４２５】
本実施形態に係る情報登録装置２００の機能構成は、第１の実施形態とほぼ同じであるため、異なる点（登録対象情報抽出部２０４及び情報出力部２１０）のみを図４１を用いて以下に説明し、同じ点については、同一の符号を用いて説明を省略する。
【０４２６】
登録対象情報抽出部２０４は、画像読み取り部２０３により読み取られた画像を解析することで、更新情報７１aを識別する識別コード（例えば、バーコードや２次元コードなど。）、ユーザによってマーキングされ、本実施形態に係るシステムへの情報登録処理を指示する情報（マーク）、及び登録時の情報出力を指示する情報（マーク）などを抽出し、抽出された識別コード（例えば、バーコードや２次元コードなど。）と、本実施形態に係るシステムへの情報登録処理を指示する情報（マーク）とを基に、情報登録処理を指示された更新情報７１aの識別コード（例えば、バーコードや２次元コードなど。）をデコードし、登録対象となる公開情報の情報格納先を抽出する（抽出手段）。登録対象情報抽出部２０４は、図２に示した制御部１１によって行う機能である。
【０４２７】
情報登録部２０５は、登録対象情報抽出部２０４により抽出された、本実施形態に係るシステムへの情報登録処理を指示する情報（マーク）に従って、抽出された登録対象情報７２aをオンラインブックマークサービス４００に登録する。このとき、情報登録部２０５は、登録対象情報抽出部２０４により抽出された登録時の情報出力を指示する情報（マーク）を基に、登録する公開情報を紙に出力する。
【０４２８】
情報出力部２１０は、登録対象情報抽出部２０４により抽出された、本実施形態に係るシステムへの情報出力処理を指示する情報（マーク）に従って、登録する公開情報を紙に出力する。情報出力部２１０は、図２に示した印刷部（プロッタ部）１７によって行う機能である。
【０４２９】
このように、本実施形態に係る情報登録装置２００は、「ユーザによって紙面上でマーキングされ、オンラインブックマークサービス４００に登録する対象として選択された情報や本実施形態に係るシステムへの情報登録処理を指示する情報及び登録時の情報出力を指示する情報を抽出し、情報登録処理を指示する情報に従って、登録対象情報７２aをオンラインブックマークサービス４００に登録し、情報出力を指示する情報（マーク）を基に情報を紙に出力する」という機能を実現している。
【０４３０】
本実施形態に係る情報処理システム１は、上記に説明した更新情報出力装置１００及び情報登録装置２００が有する各機能部を、以下に手順に従って実行する。
【０４３１】
（手順１）更新情報の収集
本実施形態に係る情報処理システム１は、更新情報出力装置１００が有する更新情報収集部１０４において、RSS配信サービスによりWebサイト３００１や情報DB３００２などの情報公開元から更新情報７１aを収集する（収集手段）。
【０４３２】
（手順２）更新情報の出力
本実施形態に係る情報処理システム１は、更新情報出力装置１００が有する更新情報出力部１０３において、情報登録装置２００の履歴管理部２０６が管理する登録履歴情報であるブックマーク履歴情報４２aを基に、紙面上での出力する更新情報７１aの並び順を変更した、本実施形態に係るシステムへの情報登録処理を指示するマーキング領域８０cや登録時の情報出力を指示するマーキング領域８０gを含む出力レイアウトで出力データを生成し（生成手段）、生成された出力データを紙に出力する。これによって、ユーザは、更新情報出力装置１００により紙面上に一覧となって出力された複数の更新情報７１aの中から、更新情報毎に付加されたマーキング領域をマーキングすることで、登録対象となる公開情報と公開情報の出力を選択指示することができる。
【０４３３】
（手順３）画像の読み取り
本実施形態に係る情報処理システム１は、情報登録装置２００が有する画像読み取り部２０３において、ユーザによってマーキングされた紙を画像として読み取る。
【０４３４】
（手順４）登録対象情報の抽出
本実施形態に係る情報処理システム１は、情報登録装置２００が有する登録対象情報抽出部２０４において、読み取られた画像を解析することで、識別コード（例えば、バーコードや２次元コードなど。）と抽出された本実施形態に係るシステムへの情報登録処理を指示する情報（マーク）とを基に、情報登録処理を指示された更新情報７１aの識別コード（例えば、バーコードや２次元コードなど。）をデコードし、登録対象となる公開情報の情報格納先を抽出する（抽出手段）。
【０４３５】
（手順５）登録対象情報の登録
本実施形態に係る情報処理システム１は、情報登録装置２００が有する情報登録部２０５において、登録対象情報７２aをオンラインブックマークサービス４００に登録し、情報出力部２１０において、抽出された登録時の情報出力を指示する情報に従って、登録する公開情報を紙に出力する。
【０４３６】
このように、本実施形態に係る情報処理システム１は、上記に説明した（手順１）〜（手順５）により、「ユーザが、収集した情報の中から必要な情報に対して、登録後の情報公開範囲を設定し、簡便にオンラインブックマークサービス４００へ登録できる」システムを実現している。
【０４３７】
次に、これまで説明を行ってきた本実施形態に係る情報処理システム１の具体的な処理手順について以下に説明する。
【０４３８】
＜更新情報出力装置の基本処理手順について＞
本実施形態に係る更新情報出力装置１００は、主に、更新情報収集部１０４及び更新情報出力部１０３の処理手順によって機能を実現している。
【０４３９】
更新情報収集部１０４は、第１の実施形態と同じであるため、同一の図面及び符号を用いて説明を省略する。
【０４４０】
では、本実施形態に係る更新情報出力装置１００の更新情報収集部１０４によって主記憶部１２のRAM上に生成された更新情報リスト７１を基に更新情報７１aを紙に出力する更新情報出力処理手順（図示せず）について以下に説明する。
【０４４１】
本実施形態に係る更新情報出力装置１００は、更新情報出力部１０３により、取得されたRSS配信情報５０を解析し、主記憶部１２のRAM上に生成された更新情報リスト７１を取得する。
【０４４２】
更新情報出力装置１００は、更新情報出力部１０３により、情報登録装置２００の履歴管理部２０６が管理する、公開情報の情報格納先をオンラインブックマークサービス４００に登録したときの公開情報の情報公開元が登録履歴として記録された登録履歴情報であるブックマーク履歴情報４２aを基に、更新情報リスト７１を構成する更新情報７１aをソートする（並び替える）。
【０４４３】
更新情報出力装置１００は、更新情報出力部１０３により算出（集計）された公開情報の情報公開元の登録回数（ブックマーク回数）を基に、登録回数の多い順、すなわち登録頻度の高い順に更新情報７１aをソートし、図９に示すような更新情報リスト７１を、主記憶部１２のRAM上に生成する。
【０４４４】
更新情報出力装置１００は、更新情報出力部１０３により、ソートされた更新情報リスト７１から更新情報７１aを1つ読み込む。
【０４４５】
更新情報出力装置１００は、更新情報出力部１０３により、更新情報７１aの「タイトル」（例えば、図８では、"Ａ社が最新機種を発表"などの文字列データ。）と「公開情報URL」（例えば、図８では、"http://www.aaa.com/n1.html"などの文字列データ。）とを基に、更新情報７１aの識別コード（例えば、バーコードや2次元コードなど。）を生成する。本実施形態では、更新情報７１aの「タイトル」と「公開情報URL」の文字列データからQR（Quick Response）コードを生成する。
【０４４６】
更新情報出力装置１００は、更新情報出力部１０３により、更新情報７１aと更新情報７１aを識別する識別コード（QRコード）に加えて、本実施形態に係るシステムへの情報登録処理を指示するマーキング領域８０cや登録時の情報出力を指示するマーキング領域８０gなどを含む出力レイアウトで出力データ（ラスタイメージ）を生成する。
【０４４７】
更新情報出力装置１００は、更新情報出力部１０３により、更新情報リスト７１に未処理の更新情報７１aがある場合、未処理の更新情報７１aを読み込み、リストに含まれる更新情報７１aが全て処理済みとなるまで処理手順を繰り返す。
【０４４８】
また、更新情報リスト７１に未処理の更新情報７１aがない場合、更新情報出力装置１００は、更新情報出力部１０３により、生成された出力データ（ラスタイメージ）を紙に出力する。
【０４４９】
このように、本実施形態に係る更新情報出力装置１００は、登録履歴情報であるブックマーク履歴情報４２aを基に、紙面上での出力する更新情報７１aの並び順を変更した、本実施形態に係るシステムへの情報登録処理を指示するためのマーキング領域８０c及び登録時の情報出力を指示するためのマーキング領域８０gを含む出力レイアウトで出力データを生成し、生成された出力データを紙に出力する。よって、更新情報出力装置１００は、必要な情報とその情報の出力指示が選択しやすいユーザインタフェースを、ユーザに提供することができる。
【０４５０】
＜情報登録装置の基本処理手順について＞
本実施形態に係る情報登録装置２００は、主に、画像読み取り部２０３、登録対象情報抽出部２０４、情報登録部２０５、及び情報出力部２１０の処理手順によって機能を実現している。
【０４５１】
画像読み取り部２０３は、第１の実施形態と同じであるため、同一の図面及び符号を用いて説明を省略する。
【０４５２】
また、本実施形態に係る情報登録装置２００における情報登録処理手順は、第１の実施形態とほぼ同じであるため、同一の図面及び符号を用いて説明を省略し、異なる点である、登録対象情報の抽出についての詳細な処理手順を、図４３を用いて以下に説明する。
【０４５３】
図４３は、本発明の第４の実施形態に係る情報登録装置２００における登録対象情報抽出処理手順の一例を示すフローチャートである。
【０４５４】
本実施形態に係る情報登録装置２００は、登録対象情報抽出部２０４により、受け取った画像データを解析し、更新情報７１aを囲う枠（例えば、図４２に示す更新情報７１aを出力する領域８０aを囲う矩形枠など。）の領域認識を行うことで、更新情報７１aの領域８０aの抽出を行う（Ｓ８０１）。領域認識では、抽出された更新情報７１aの領域８０aを識別する識別コード「更新情報領域ID」と、出力レイアウトを基にした紙面上の２次元空間における更新情報７１aの領域８０aの座標位置を示す「座標位置（左上及び右下の対角座標）」とから構成される更新情報領域位置情報４４aをリスト化した、図２０に示すような更新情報領域位置情報リスト４４を、主記憶部１２のRAM上に生成する。
【０４５５】
情報登録装置２００は、登録対象情報抽出部２０４により、生成された更新情報領域位置情報リスト４４に未処理の領域がある場合（Ｓ８０２がYESの場合）、更新情報領域IDを基に、該当する未処理の更新情報７１aの領域８０aの画像を１つ読み込む。
【０４５６】
情報登録装置２００は、登録対象情報抽出部２０４により、読み込んだ更新情報７１aの領域８０aの画像に対して、領域内に含まれる情報出力を指示するマーキング領域８０gの抽出を行う（Ｓ８０３）。このとき、情報出力を指示するマーキング領域８０gの抽出を行い、マーキング領域８０gがマーキングされているか否かの認識を行う。本実施形態では、マーキング領域８０gに何らかの書き込み（例えば、図４２に示した「レ（チェック）」）があればマーキングされたものとして判断する。
【０４５７】
情報登録装置２００は、登録対象情報抽出部２０４により、抽出された情報出力を指示するマーキング領域８０gがマーキングされていない（書き込みがない）と判断した場合（Ｓ８０４がNOの場合）、後述するＳ８０７の処理手順に移行する。
【０４５８】
また、抽出された情報出力を指示するマーキング領域８０gがマーキングされている（書き込みがある）と判断した場合（Ｓ８０４がYESの場合）、出力する公開情報を抽出し（Ｓ８０５）、情報出力部２１０により、抽出された公開情報を紙に出力する（Ｓ８０６）。
【０４５９】
情報登録装置２００は、登録対象情報抽出部２０４により、読み込んだ更新情報７１aの領域８０aの画像に対して、領域内に含まれる情報登録を指示するマーキング領域８０cの抽出を行う（Ｓ８０７）。このとき、情報登録を指示するマーキング領域８０cの抽出を行い、マーキング領域８０cがマーキングされているか否かの認識を行う。本実施形態では、マーキング領域８０cに何らかの書き込み（例えば、図４２に示した「レ（チェック）」）があればマーキングされたものとして判断する。
【０４６０】
情報登録装置２００は、登録対象情報抽出部２０４により、抽出された情報出力を指示するマーキング領域８０cがマーキングされていない（書き込みがない）と判断した場合（Ｓ８０８がNOの場合）、Ｓ８０２の処理手順に戻る。
【０４６１】
また、情報登録装置２００は、登録対象情報抽出部２０４により、領域内の更新情報７１aを識別する識別コード（例えば、図４２に示す領域８０bに出力されたQRコード。）の領域８０bを抽出し、抽出された識別コード（QRコード）のデコードを行い、登録対象情報７２aを抽出する（Ｓ８０９）。このとき、抽出された情報を基に、主記憶部１２のRAM上に登録対象情報リストを生成する。
【０４６２】
情報登録装置２００は、登録対象情報抽出部２０４により、抽出された登録対象情報７２aを基に、登録対象情報リスト７２を更新し、Ｓ８０２の処理手順に戻る。
【０４６３】
情報登録装置２００は、登録対象情報抽出部２０４により、主記憶部１２のRAM上に生成された更新情報領域位置情報リスト４４に未処理の領域がない場合（Ｓ８０２がNOの場合）、生成した登録対象情報リスト７２を、主記憶部１２のRAM上を介して情報登録部２０５に渡し、処理を終了する。
【０４６４】
情報登録装置２００は、情報登録部２０５により、主記憶部１２のRAM上を介して受け取った登録対象情報リスト７２を基に、登録対象情報７２aである公開情報の情報格納先をオンラインブックマークサービス４００に登録する。
【０４６５】
本実施形態でも、第１の実施形態と同じように、登録するオンラインブックマークサービス４００として、ネットワーク９０を介してブックマーク登録できるAPI（Application Program Interface）を公開している（情報登録方法を公開している）外部のサービスを利用する。
【０４６６】
情報登録装置２００は、情報登録部２０５により、登録対象情報リスト７２に未処理の情報がない場合、処理を終了する。
【０４６７】
このように、本実施形態に係る情報登録装置２００は、ユーザによって紙面上でマーキングされ、オンラインブックマークサービス４００に登録する対象として選択された情報や本実施形態に係るシステムへの情報登録処理を指示する情報及び登録時の情報出力を指示する情報を抽出し、情報登録処理を指示する情報に従って、登録対象情報７２aをオンラインブックマークサービス４００に登録し、情報出力を指示する情報（マーク）を基に情報を紙に出力する。よって、ユーザが、収集した情報に対して、登録時の情報出力を設定指示し、簡便にオンラインブックマークサービスへ登録する。
【０４６８】
＜まとめ＞
以上のように、本発明の第４の実施形態によれば、本実施形態に係る情報処理システム１は、更新情報出力装置１００及び情報登録装置２００が有する各機能部を、以下に手順に従って実行する。
【０４６９】
（手順１）更新情報の収集
本実施形態に係る情報処理システム１は、更新情報出力装置１００が有する更新情報収集部１０４において、RSS配信サービスによりWebサイト３００１や情報DB３００２などの情報公開元から更新情報７１aを収集する（収集手段）。
【０４７０】
（手順２）更新情報の出力
本実施形態に係る情報処理システム１は、更新情報出力装置１００が有する更新情報出力部１０３において、情報登録装置２００の履歴管理部２０６が管理する登録履歴情報であるブックマーク履歴情報４２aを基に、紙面上での出力する更新情報７１aの並び順を変更した、本実施形態に係るシステムへの情報登録処理を指示するマーキング領域８０cや登録時の情報出力を指示するマーキング領域８０gを含む出力レイアウトで出力データを生成し（生成手段）、生成された出力データを紙に出力する。これによって、ユーザは、更新情報出力装置１００により紙面上に一覧となって出力された複数の更新情報７１aの中から、更新情報毎に付加されたマーキング領域をマーキングすることで、登録対象となる公開情報と公開情報の出力を選択指示することができる。
【０４７１】
（手順３）画像の読み取り
本実施形態に係る情報処理システム１は、情報登録装置２００が有する画像読み取り部２０３において、ユーザによってマーキングされた紙を画像として読み取る。
【０４７２】
（手順４）登録対象情報の抽出
本実施形態に係る情報処理システム１は、情報登録装置２００が有する登録対象情報抽出部２０４において、読み取られた画像を解析することで、識別コード（例えば、バーコードや２次元コードなど。）と抽出された本実施形態に係るシステムへの情報登録処理を指示する情報（マーク）とを基に、情報登録処理を指示された更新情報７１aの識別コード（例えば、バーコードや２次元コードなど。）をデコードし、登録対象となる公開情報の情報格納先を抽出する（抽出手段）。
【０４７３】
（手順５）登録対象情報の登録
本実施形態に係る情報処理システム１は、情報登録装置２００が有する情報登録部２０５において、登録対象情報７２aをオンラインブックマークサービス４００に登録し、情報出力部２１０において、抽出された登録時の情報出力を指示する情報に従って、登録する公開情報を紙に出力する。
【０４７４】
このように、本実施形態に係る情報処理システム１は、上記（手順１）〜（手順５）によって、公開情報の情報格納先をオンラインブックマークサービス４００に登録したときの公開情報の情報公開元が登録履歴として記録された登録履歴情報であるブックマーク履歴情報４２aを基に、紙面上での出力する更新情報７１aの並び順を変更した、本実施形態に係るシステムへの情報登録処理を指示するためのマーキング領域８０c及び登録時の情報出力を指示するためのマーキング領域８０gを含む出力レイアウトで出力データを生成し、生成された出力データを紙に出力するとともに、ユーザによって紙面上でマーキングされ、オンラインブックマークサービス４００に登録する対象として選択された情報や本実施形態に係るシステムへの情報登録処理を指示する情報及び登録時の情報出力を指示する情報を抽出し、情報登録処理を指示する情報に従って、登録対象情報７２aをオンラインブックマークサービス４００に登録し、情報出力を指示する情報（マーク）を基に情報を紙に出力することができる。
【０４７５】
よって、本実施形態に係る情報処理システム１は、ユーザが、収集した情報の中から必要な情報に対して、登録時の情報出力を設定し、簡便にオンラインブックマークサービス４００に登録することができる。
【０４７６】
第１から第４の実施形態に基づき本発明の説明を行ってきたが、本発明の第１から第４の実施形態に係る情報処理システム１が有する機能は、各実施形態において説明した更新情報出力装置１００及び情報登録装置２００が有する各処理手順を、それぞれの動作環境（プラットフォーム）にあったプログラミング言語でコード化したプログラムをコンピュータで実行することで実現することができる。よって、本発明の第１から第４の実施形態に係る情報処理システム１が有する機能を実行するプログラム（情報処理プログラム）は、コンピュータが読み取り可能な記憶媒体に格納することができる。
【０４７７】
また、本発明の第１から第４の実施形態では、係る更新情報出力装置１００及び情報登録装置２００のハードウェア構成を、印刷部（プロッタ部）１７及びスキャナ部（画像読み取り部）１８を備えた構成として説明を行ったが、本発明は、この構成に限定されるものではない。例えば、更新情報出力装置１００及び情報登録装置２００を、一般的な情報処理装置とし、情報処理装置が有する外部装置I/FにUSBなどのケーブルを介してプリンタやスキャナを接続するといった構成でも良い。
【０４７８】
また、本発明の第２の実施形態では、当該システムを利用するユーザ毎に対応付けるタスクのデータ処理（タスク対応付けブックマーク履歴情報リスト４６の参照やタスク関連付け頻度情報リスト４７の生成など）を行う例を挙げて説明を行ったが、本発明は、この内容に限定されるものではない。例えば、ユーザを含む複数のユーザがメンバーとなっているプロジェクト単位でデータ処理を行っても良い。
【０４７９】
最後に、上記各実施形態に挙げた形状に、その他の要素との組み合わせなど、ここで示した要件に、本発明が限定されるものではない。これらの点に関しては、本発明の主旨をそこなわない範囲で変更することが可能であり、その応用形態に応じて適切に定めることができる。
【図面の簡単な説明】
【０４８０】
【図１】本発明の実施形態１に係る情報処理システムが有する更新情報出力装置のハードウェア構成の一例を示す図である。
【図２】本発明の実施形態１に係る情報登録装置のハードウェア構成の一例を示す図である。
【図３】本発明の第１の実施形態に係る情報処理システムのシステム構成の一例を示す図である。
【図４】本発明の第１の実施形態に係る更新情報出力装置における表示部に表示された表示画面（その１）の一例を示す図である。
【図５】本発明の第１の実施形態に係る更新情報出力装置における表示部に表示された表示画面（その１）の一例を示す図である。
【図６】本発明の第１の実施形態に係る更新情報出力装置における収集対象情報リストのデータ構造の一例を示す図である。
【図７】本発明の第１の実施形態に係る更新情報出力装置における更新情報収集処理手順の一例を示すフローチャートである。
【図８】本発明の第１の実施形態に係るRSS配信情報のデータ構造の一例を示す図である。
【図９】本発明の第１の実施形態に係る更新情報リストのデータ構造の一例を示す図である。
【図１０】本発明の第１の実施形態に係る更新情報出力装置における更新情報出力処理手順の一例を示すフローチャートである。
【図１１】本発明の第１の実施形態に係るブックマーク履歴情報リストのデータ構造の一例を示す図である。
【図１２】本発明の第１の実施形態に係るユーザ情報リストのデータ構造の一例を示す図である。
【図１３】本発明の第１の実施形態に係る更新情報出力装置における更新情報ソート（並び替え）処理手順の一例を示すフローチャートである。
【図１４】本発明の第１の実施形態に係る更新情報出力装置における更新情報出力部により出力された紙の印刷結果（その１）の一例を示す図である。
【図１５】本発明の第１の実施形態に係る更新情報出力装置における更新情報出力部により出力された紙の印刷結果（その２）の一例を示す図である。
【図１６】本発明の第１の実施形態に係るユーザによってマーキングされた紙面の一例を示す図である。
【図１７】本発明の第１の実施形態に係る情報登録装置における表示部に表示された表示画面の一例を示す図である。
【図１８】本発明の第１の実施形態に係る情報登録装置における情報登録処理手順の一例を示すフローチャートである。
【図１９】本発明の第１の実施形態に係る情報登録装置における登録対象情報抽出処理手順の一例を示すフローチャートである。
【図２０】本発明の第１の実施形態に係る更新情報領域位置情報リストのデータ構造の一例を示す図である。
【図２１】本発明の第１の実施形態に係る登録対象情報リストのデータ構造の一例を示す図である。
【図２２】本発明の第１の実施形態に係る情報登録装置における登録対象情報登録処理手順の一例を示すフローチャートである。
【図２３】本発明の第２の実施形態に係る情報処理システムのシステム構成の一例を示す図である。
【図２４】本発明の第２の実施形態に係るタスク情報リストのデータ構造の一例を示す図である。
【図２５】本発明の第２の実施形態に係るタスク関連付けブックマーク履歴情報リストのデータ構造の一例を示す図である。
【図２６】本発明の第２の実施形態に係る更新情報出力装置における更新情報出力処理手順の一例を示すフローチャートである。
【図２７】本発明の第２の実施形態に係るタスク関連付け頻度情報リストのデータ構造の一例を示す図である。
【図２８】本発明の第２の実施形態に係る更新情報出力装置における更新情報出力部により出力された紙の印刷結果（その１）の一例を示す図である。
【図２９】本発明の第２の実施形態に係る更新情報出力装置における更新情報出力部により出力された紙の印刷結果（タスク情報一覧）の一例を示す図である。
【図３０】本発明の第２の実施形態に係る更新情報出力装置における更新情報出力部により出力された紙の印刷結果（その２）の一例を示す図である。
【図３１】本発明の第２の実施形態に係るユーザによってマーキングされた紙面（その１）の一例を示す図である。
【図３２】本発明の第２の実施形態に係るユーザによってマーキングされた紙面（その２）の一例を示す図である。
【図３３】本発明の第２の実施形態に係る情報登録装置における登録対象情報抽出処理手順の一例を示すフローチャートである。
【図３４】本発明の第２の実施形態に係る情報登録装置における関連タスク情報抽出処理手順の一例を示すフローチャートである。
【図３５】本発明の第２の実施形態に係る登録対象情報リストのデータ構造の一例を示す図である。
【図３６】本発明の第２の実施形態に係る情報登録装置における登録対象情報登録処理手順の一例を示すフローチャートである。
【図３７】本発明の第３の実施形態に係るユーザによってマーキングされた紙面の一例を示す図である。
【図３８】本発明の第３の実施形態に係る情報登録装置における登録対象情報抽出処理手順の一例を示すフローチャートである。
【図３９】本発明の第２の実施形態に係る情報登録装置における情報公開範囲情報抽出処理手順の一例を示すフローチャートである。
【図４０】本発明の第３の実施形態に係る登録対象情報リストのデータ構造の一例を示す図である。
【図４１】本発明の第４の実施形態に係る情報処理システムのシステム構成の一例を示す図である。
【図４２】本発明の第４の実施形態に係るユーザによってマーキングされた紙面の一例を示す図である。
【図４３】本発明の第４の実施形態に係る情報登録装置における登録対象情報抽出処理手順の一例を示すフローチャートである。
【符号の説明】
【０４８１】
１  情報処理システム
１１  制御部（CPU）
１２  主記憶部（ROM,RAM）
１３  補助記憶部（HD）
１４  ネットワークI/F
１５  表示部（パネル表示）
１６  入力部（操作部）
１７  印刷部（プロッタ部）
１８  スキャナ部（画像読み取り部）
４１  収集対象情報リスト
４２  ブックマーク情報リスト
４３  ユーザ情報リスト
４４  更新情報領域位置情報リスト
４５  タスク情報リスト
４６  タスク関連付けブックマーク情報リスト
４７  タスク関連付け頻度情報リスト
５０  RSS配信情報
７１  更新情報リスト
７２  登録対象情報リスト
８０  印刷結果（更新情報一覧）
８１  印刷結果（タスク情報一覧）
９０  ネットワーク
１００  更新情報出力装置
１０１  入力部
１０２  表示部
１０３  更新情報出力部
１０４  更新情報収集部
１０５  更新情報収集条件管理部
１０６  更新情報収集条件記憶部
１０７  通信部
２００  情報登録装置
２０１  入力部
２０２  表示部
２０３  画像読み取り部
２０４  登録対象情報抽出部
２０５  情報登録部
２０６  履歴管理部
２０７  履歴記憶部
２０８  通信部
２０９  ユーザ情報管理部
２１０  情報出力部
３００１  Webサイト
３００２  情報DB
４００  オンラインブックマークサービス
５００  タスク報管理装置
【図１】
2008234234.tif 000003
【図２】
2008234234.tif 000004
【図３】
2008234234.tif 000005
【図４】
2008234234.tif 000006
【図５】
2008234234.tif 000007
【図６】
2008234234.tif 000008
【図７】
2008234234.tif 000009
【図８】
2008234234.tif 000010
【図９】
2008234234.tif 000011
【図１０】
2008234234.tif 000012
【図１１】
2008234234.tif 000013
【図１２】
2008234234.tif 000014
【図１３】
2008234234.tif 000015
【図１４】
2008234234.tif 000016
【図１５】
2008234234.tif 000017
【図１６】
2008234234.tif 000018
【図１７】
2008234234.tif 000019
【図１８】
2008234234.tif 000020
【図１９】
2008234234.tif 000021
【図２０】
2008234234.tif 000022
【図２１】
2008234234.tif 000023
【図２２】
2008234234.tif 000024
【図２３】
2008234234.tif 000025
【図２４】
2008234234.tif 000026
【図２５】
2008234234.tif 000027
【図２６】
2008234234.tif 000028
【図２７】
2008234234.tif 000029
【図２８】
2008234234.tif 000030
【図２９】
2008234234.tif 000031
【図３０】
2008234234.tif 000032
【図３１】
2008234234.tif 000033
【図３２】
2008234234.tif 000034
【図３３】
2008234234.tif 000035
【図３４】
2008234234.tif 000036
【図３５】
2008234234.tif 000037
【図３６】
2008234234.tif 000038
【図３７】
2008234234.tif 000039
【図３８】
2008234234.tif 000040
【図３９】
2008234234.tif 000041
【図４０】
2008234234.tif 000042
【図４１】
2008234234.tif 000043
【図４２】
2008234234.tif 000044
【図４３】
2008234234.tif 000045